(57)【要約】【課題】  １系統と２系統の動作を交互に入れ換えることにより、再生可能エネルギーによる電力の安定供給を実現した電力供給設備を提供すること。【解決手段】  再生可能エネルギーを利用した発電機器と、蓄電装置と、発電機器及び蓄電装置からの出力を交流に変換し既設の交流配電線に接続された系統連系変換装置とからなる電力供給設備を、１系統と２系統に分けて設け、監視制御装置は、要求される電力量を最大出力の１系統と残余の電力の２系統に各々振分けて、要求される電力の供給を各々の系統の電力供給設備にて担当させ、１系統の電力供給設備の出力と２系統の電力供給設備の出力の合計を要求される電力として既設の交流配線に出力するように構成し、監視制御装置は、１系統の動作と２系統の動作を１日毎に入れ換える制御を行う再生可能エネルギーを用いた電力供給設備により構成される。【選択図】  図４
2020072637.tif 000002
【特許請求の範囲】
【請求項１】
再生可能エネルギーを利用した発電機器からの発電電力を時間毎に一定の電力に変換する変換装置と、上記発電電力の充放電を行う蓄電装置と、上記変換装置及び／又は上記蓄電装置からの出力電力を交流に変換し既設の交流配線に出力する系統連携系変換装置とからなる電力供給設備が、１系統と２系統に分けて各々設けられ、上記１系統と上記２系統の合計電力を上記既設の交流配線に供給し得るように構成され、
上記１系統と２系統の各電力供給設備から発電電力に関するデータを受信して上記各電力供給設備に対して制御指令を送信し得る監視制御装置と、
上記１系統の発電電力に関するデータを上記監視制御装置に送信すると共に、上記監視制御装置からの上記１系統に対する上記制御指令を受信して当該制御御指令に基づいて上記１系統の出力電力を制御する１系統の制御装置が設けられ、
上記２系統の発電電力に関するデータを上記監視制御装置に送信すると共に、上記監視制御装置からの上記２系統に対する上記制御指令を受信して当該制御御指令に基づいて上記２系統の出力電力を制御する２系統の制御装置が設けられ、
上記監視制御装置は、要求される供給電力を２分割し、上記１系統が担当する分割後の電力と該１系統が担当する分割後の電力よりも低い上記２系統が担当する分割後の電力を設定し、上記各分割後の電力を上記１系統と上記２系統に各々振り分けて、分割後の電力を各系統の上記電力供給設備に担当させ、上記１系統の電力供給設備の上記１系統の分割後の電力と、上記２系統の電力供給設備の上記２系統の分割後の電力の合計の電力が上記既設の交流配線に供給されるように上記各系統の上記制御装置に上記制御指令を与えることで、上記要求される供給電力を満たすように構成され、
上記１系統の制御装置は上記監視制御装置の上記１系統に対する制御指令に基づいて、上記１系統の電力供給設備の出力が上記１系統の分割後の電力となるように、上記１系統の発電機器を制御すると共に、上記１系統の発電機器の出力電力が上記１系統の分割後の電力に満たない場合は、上記１系統の蓄電装置を放電することで上記１系統の電力供給設備の出力が上記１系統の分割後の電力となるように制御するものであり、
上記２系統の上記制御装置は上記監視制御装置の上記２系統に対する制御指令に基づいて、上記２系統の電力供給設備の出力が上記２系統の分割後の電力となるように上記２系統の発電機器を制御すると共に、上記２系統の発電機器の出力電力が上記２系統の分割後の電力を超えた場合は上記２系統の蓄電装置に充電するように当該２系統の蓄電装置を制御するものであり、
上記監視制御装置は、上記１系統に対する制御指令と上記２系統に対する制御指令を１日毎に入れ換える制御を行うものである再生可能エネルギーを用いた電力供給設備。
【請求項２】
上記監視制御装置は、上記２系統の電力供給設備においては上記２系統の分割後の電力を、上記１系統の電力供給設備の上記１系統の分割後の電力より低く設定することにより、上記１系統の上記蓄電装置の蓄電量に比較して、上記２系統の上記蓄電装置により多くの容量が蓄電されるように構成されたものである請求項１記載の再生可能エネルギーを用いた電力供給設備。
【請求項３】
上記監視制御装置は、上記１系統の電力供給設備においては上記１系統の分割後の電力を、要求される供給電力の８５％から６５％の範囲内に設定し、上記２系統の電力供給設備においては上記２系統の分割後の電力を、要求される供給電力の１５％から３５％の範囲内に設定するものである請求項１又は２記載の再生可能エネルギーを用いた電力供給設備。
【請求項４】
上記監視制御装置は、上記電力供給設備から発電電力に関するデータを無線にて受信するデータ受信手段と、上記電力供給設備に対して各種の制御指令を無線送信するデータ送信手段とを有するものであり、
上記１系統と２系統の上記制御装置は、上記各電力供給設備に各々設けられ、各系統に設けられたスマートメータからの発電電力に関するデータを受けて、上記監視制御装置に無線送信するデータ送信手段とを具備する請求項１〜３の何れかに記載の再生可能エネルギーを用いた電力供給設備。
【請求項５】
上記監視制御装置は、
上記１系統については、
上記１系統の発電機器の時間毎の発電電力の複数の目標値を設定し、上記１系統の上記複数の目標値の電力は上記１系統の分割後の電力と同一の電力値を最大の目標値とし、それ以外の目標値は上記１系統の分割後の電力より低い目標値とする電力レベル設定手段と、
上記１系統の発電機器の発電電力が上記１系統の分割後の電力である上記最大の目標値より高いか否かを判断する比較手段と、
上記比較手段の比較により、上記発電電力が上記１系統の分割後の電力より高い場合は、上記最大の目標値の電力を出力するように１系統の制御装置に制御指令を送出する発電量制御手段と、上記最大の目標値を超えた電力を上記１系統の蓄電装置に充電を行う制御指令を送出する充放電指令手段とを具備し、
上記比較手段の比較により、上記発電電力が上記１系統の分割後の電力より低い場合は、上記発電量制御手段は上記分割後の電力より低い上記目標値を出力するように１系統の制御装置に制御指令を送出するものであり、上記充放電指令手段は、上記低い目標値から上記１系統の分割後の電力までの不足分の電力を上記蓄電装置からの放電により補うことにより１系統の分割後の電力を満たすように１系統の制御装置に制御指令を送出するものであり、
上記２系統については、
上記２系統の分割後の電力を上記２系統の目標値に設定する電力レベル設定手段と、
上記２系統の発電機器の発電電力が上記２系統の目標値より高いか否かを判断する比較手段と、
上記比較手段の比較により、上記２系統の発電機器の発電電力が上記２系統の目標値より高い場合は、上記２系統の分割後の電力を出力するように上記２系統の制御装置に制御指令を送出する発電量指令手段と、
上記比較手段の比較により、上記２系統の発電機器の発電電力が上記２系統の目標値を超えた場合は、超えた電力を上記２系統の蓄電装置に充電する制御指令を送出する充放電指令手段を具備するものであり、
上記監視制御装置は、上記１系統と上記２系統の上記制御動作を１日毎に入れ換えるものである請求項１〜４の何れかに記載の再生可能エネルギーを用いた電力供給設備。
【請求項６】
上記１系統の制御装置は、上記監視制御装置からの上記制御指令が充電指令か放電指令かを判断する判断手段と、
上記判断手段の判断が放電指令の場合は、上記１系統の発電機器に対して上記分割後の電力より低い目標値を出力するように制御する発電量制御手段と、上記不足分の電力を上記１系統の蓄電装置からの放電により補うように制御する充放電制御手段とを具備し、
これにより上記低い目標値からなる電力と上記放電による不足分の電力の合計からなる上記１系統の分割後の電力が、上記１系統の系統連系変換装置から出力されるものであり、
上記判断手段の判断が充電指令の場合は、上記発電量制御手段は、上記１系統の発電機器に対して上記１系統の分割後の電力を出力するように制御することにより、上記１系統の分割後の電力が上記１系統の系統連系変換装置から出力されるものであり、
上記充放電制御手段は、上記１系統の分割後の電力を超えた電力については上記１系統の蓄電装置に充電するように制御するものであり、
上記２系統の制御装置は、上記監視制御装置からの上記制御指令が充電指令か放電指令かを判断する判断手段と、
上記判断手段の判断が上記充電指令の場合は、上記２系統の発電機器に対して上記２系統の分割後の電力を出力するように制御する発電量制御手段と、上記２系統の分割後の電力を超えた電力については上記２系統の蓄電装置に充電するように制御する充放電制御手段とを具備し、
これにより上記２系統の分割後の電力が上記２系統の系統連系変換装置から出力されるものであり、
上記１系統と上記２系統の制御装置は、上記監視制御装置からの上記制御指令により、上記１系統と上記２系統の制御動作を１日毎に入れ換えるものである請求項５に記載の再生可能エネルギーを用いた電力供給設備。
【請求項７】
上記既存の交流配線に電気自動車の充電装置を接続すると共に、上記監視制御装置と通信可能なスマートメータを設け、
上記監視制御装置は、上記スマートメータを介して上記電気自動車の充電装置の充電開始の情報を受けると、上記低い方の分割後の電力を担当する電力供給設備の出力電力を充電期間中だけ増加させるものである請求項１〜６の何れかに記載の再生可能エネルギーを用いた電力供給設備。
【発明の詳細な説明】
【技術分野】
【０００１】
本発明は、太陽光発電等の再生可能エネルギーを用いて安定した電力を供給するための電力供給設備に関するものである。
【背景技術】
【０００２】
従来、太陽光発電或いは風力発電等の自然エネルギー供給源を分散化し、消費施設を持つ小規模なエネルギーネットワーク、いわゆるマイクログリッドが実用化されている。
【０００３】
このような施設では、自然エネルギー供給源の気候変動等に基づく出力変動が、連系する電力系統に悪影響を及ぼすため、上記出力変動を補うため、電力貯蔵装置を設けて充放電を行わせ、供給出力の変動を抑制することが行われている（特許文献１）。
【先行技術文献】
【特許文献】
【０００４】
【特許文献１】特開２００１−３２７０８０号公報
【発明の概要】
【発明が解決しようとする課題】
【０００５】
ところで、上記従来の分散電源システムは、電力貯蔵装置の蓄電量が大きくなるに従って、出力目標値を段階的に大となるように定め、自然エネルギー供給源の出力値が出力目標値を上回った場合は、出力目標値を出力し、上回った分を電力貯蔵装置に充電し、電力貯蔵装置の蓄電量が大きくなり、出力目標値も大となって、自然エネルギー供給源の出力値が出力目標値を下回った場合は、全部を出力すると共に、出力目標値に足りない分を電力貯蔵設備の放電により補う、という動作を行っていた。
【０００６】
そのため、分散電源システムの出力値は、時間によって階段状となり、例えば、昼間の長時間の間に一定の供給電力を供給する要求には答えられない、という課題があった。
【０００７】
また、天候の悪化等により蓄電量が減少し、放電が不可能になった場合、発電電力がそのまま出力されてしまい、電力の安定供給が維持できない場合が想定される。
【０００８】
本発明は上記従来の課題に鑑みてなされたものであり、再生可能エネルギーを用いながら、昼間の長時間にわたり、顧客から要求された電力を安定して供給することを可能とした再生可能エネルギーを用いた電力供給設備を提供することを目的とする。
【０００９】
また、１系統と２系統の電力設備を交互に用いることにより、常時、再生可能エネルギーによる電力の安定供給を実現した再生可能エネルギーを用いた電力供給設備を提供することを目的とする。
【課題を解決するための手段】
【００１０】
上記の目的を達成するため本発明は、
第１に、再生可能エネルギーを利用した発電機器からの発電電力を時間毎に一定の電力に変換する変換装置と、上記発電電力の充放電を行う蓄電装置と、上記変換装置及び／又は上記蓄電装置からの出力電力を交流に変換し既設の交流配線に出力する系統連携系変換装置とからなる電力供給設備が、１系統と２系統に分けて各々設けられ、上記１系統と上記２系統の合計電力を上記既設の交流配線に供給し得るように構成され、上記１系統と２系統の各電力供給設備から発電電力に関するデータを受信して上記各電力供給設備に対して制御指令を送信し得る監視制御装置と、上記１系統の発電電力に関するデータを上記監視制御装置に送信すると共に、上記監視制御装置からの上記１系統に対する上記制御指令を受信して当該制御御指令に基づいて上記１系統の出力電力を制御する１系統の制御装置が設けられ、上記２系統の発電電力に関するデータを上記監視制御装置に送信すると共に、上記監視制御装置からの上記２系統に対する上記制御指令を受信して当該制御御指令に基づいて上記２系統の出力電力を制御する２系統の制御装置が設けられ、上記監視制御装置は、要求される供給電力を２分割し、上記１系統が担当する分割後の電力と該１系統が担当する分割後の電力よりも低い上記２系統が担当する分割後の電力を設定し、上記各分割後の電力を上記１系統と上記２系統に各々振り分けて、分割後の電力を各系統の上記電力供給設備に担当させ、上記１系統の電力供給設備の上記１系統の分割後の電力と、上記２系統の電力供給設備の上記２系統の分割後の電力の合計の電力が上記既設の交流配線に供給されるように上記各系統の上記制御装置に上記制御指令を与えることで、上記要求される供給電力を満たすように構成され、上記１系統の制御装置は上記監視制御装置の上記１系統に対する制御指令に基づいて、上記１系統の電力供給設備の出力が上記１系統の分割後の電力となるように、上記１系統の発電機器を制御すると共に、上記１系統の発電機器の出力電力が上記１系統の分割後の電力に満たない場合は、上記１系統の蓄電装置を放電することで上記１系統の電力供給設備の出力が上記１系統の分割後の電力となるように制御するものであり、上記２系統の上記制御装置は上記監視制御装置の上記２系統に対する制御指令に基づいて、上記２系統の電力供給設備の出力が上記２系統の分割後の電力となるように上記２系統の発電機器を制御すると共に、上記２系統の発電機器の出力電力が上記２系統の分割後の電力を超えた場合は上記２系統の蓄電装置に充電するように当該２系統の蓄電装置を制御するものであり、上記監視制御装置は、上記１系統に対する制御指令と上記２系統に対する制御指令を１日毎に入れ換える制御を行うものである再生可能エネルギーを用いた電力供給設備により構成される。
【００１１】
上記１系統、２系統の発電機器は例えば太陽光発電アレイ（１ａ〜１ｄ、１系統１ａ，１ｂ、２系統１ｃ，１ｄ）とすることができる。上記変換装置は例えばＰＶコンバータ（３６ａ，３６ｂ）とすることができる。上記１系統、２系統の蓄電装置は例えば鉛電池等の蓄電池(１４ａ，１４ｂ)及びバッテリーコントローラ（１３ａ，１３ｂ）とすることができる。上記１系統、２系統の系統連系変換装置は、例えば系統連系インバータ（１５ａ，１５ｂ）とすることができる。上記１系統、２系統の制御装置は、例えばスマートメータ（１８ａ，１８ｂ）及びスマートパワーマネージャ（ＳＰＭ）（２１ａ，２１ｂ）により構成することができる。上記監視制御装置が受ける上記発電電力に関するデータは、例えば１系統、２系統の発電機器の発電電力データ、１系統、２系統の蓄電装置の残量データ、１系統、２系統の系統連系変換装置の出力電力に関するデータ等をいう。このように構成すると、要求される供給電力（例えば２００［ｋｗ］）を１系統と２系統の電力供給設備に振り分けて担当させることができ、仮に、他方の系統（例えば１系統）は供給電力の目標値（１系統の分割後の電力、例えば１５０［ｋｗ］）を高く蓄電量を少なく設定し、一方の系統（例えば２系統）は供給電力の目標値（２系統の分割後の電力、例えば５０［ｋｗ］）を低く蓄電量を多く設定し、このような振り分けを１日毎に入れ換えて行うことにより、常時、蓄電量の多い系統の電力供給設備側を、翌日は、供給電力の目標値の高い方に設定することができるので、仮に天候不良等により、供給電力の目標値の高い電力供給設備にて蓄電装置からの多くの放電が必要になった場合であっても、支障なく対応が可能となる。
【００１２】
第２に、上記監視制御装置は、上記２系統の電力供給設備においては上記２系統の分割後の電力を、上記１系統の電力供給設備の上記１系統の分割後の電力より低く設定することにより、上記１系統の上記蓄電装置の蓄電量に比較して、上記２系統の上記蓄電装置により多くの容量が蓄電されるように構成されたものである上記第１記載の再生可能エネルギーを用いた電力供給設備により構成される。
【００１３】
このように構成することにより、１系統と２系統の入れ換え動作を行うことにより、常時、蓄電量の多い系統の電力供給設備側を、翌日は、供給電力の目標値の高い方に設定することができるので、仮に天候不良等により、供給電力の目標値の高い電力供給設備にて蓄電装置からの多くの放電が必要になった場合であっても、支障なく対応が可能となる。
【００１４】
第３に、上記監視制御装置は、上記１系統の電力供給設備においては上記１系統の分割後の電力を、要求される供給電力の８５％から６５％の範囲内に設定し、上記２系統の電力供給設備においては上記２系統の分割後の電力を、要求される供給電力の１５％から３５％の範囲内に設定するものである上記第１又は２記載の再生可能エネルギーを用いた電力供給設備により構成される。
【００１５】
このように構成することにより、例えば１系統の電力供給設備では１系統の分割後の電力を高く設定し、１系統の蓄電装置への充電量を低く設定し、２系統の電力供給設備では２系統の分割後の電力を低く設定し、２系統の蓄電装置への充電量を大きく設定することができ、このような１系統と２系統の制御を１日毎に入れ換えることにより、再生可能エネルギーを利用した発電機器を用いながら、安定した電力供給を行うことができる。
【００１６】
第４に、上記監視制御装置は、上記電力供給設備から発電電力に関するデータを無線にて受信するデータ受信手段と、上記電力供給設備に対して各種の制御指令を無線送信するデータ送信手段とを有するものであり、上記１系統と２系統の上記制御装置は、上記各電力供給設備に各々設けられ、各系統に設けられたスマートメータからの発電電力に関するデータを受けて、上記監視制御装置に無線送信するデータ送信手段とを具備する上記第１〜３の何れかに記載の再生可能エネルギーを用いた電力供給設備により構成される。
【００１７】
このように構成すると、１系統と２系統の制御装置を含む電力供給設備と監視制御装置とを無線にて接続することにより、本発明に係る電力供給設備とは離れた場所に監視制御装置を設置することができ、遠隔地から電力供給設備の動作制御、及び、監視制御を行うことができる。よって、例えば、離島等に既に設けられているマイクログリッドによる分散電源に、本発明の電力供給設備を比較的容易に設置することが可能となる。
【００１８】
第５に、上記監視制御装置は、上記１系統については、上記１系統の発電機器の時間毎の発電電力の複数の目標値を設定し、上記１系統の上記複数の目標値の電力は上記１系統の分割後の電力と同一の電力値を最大の目標値とし、それ以外の目標値は上記１系統の分割後の電力より低い目標値とする電力レベル設定手段と、上記１系統の発電機器の発電電力が上記１系統の分割後の電力である上記最大の目標値より高いか否かを判断する比較手段と、上記比較手段の比較により、上記発電電力が上記１系統の分割後の電力より高い場合は、上記最大の目標値の電力を出力するように１系統の制御装置に制御指令を送出する発電量制御手段と、上記最大の目標値を超えた電力を上記１系統の蓄電装置に充電を行う制御指令を送出する充放電指令手段とを具備し、上記比較手段の比較により、上記発電電力が上記１系統の分割後の電力より低い場合は、上記発電量制御手段は上記分割後の電力より低い上記目標値を出力するように１系統の制御装置に制御指令を送出するものであり、上記充放電指令手段は、上記低い目標値から上記１系統の分割後の電力までの不足分の電力を上記蓄電装置からの放電により補うことにより１系統の分割後の電力を満たすように１系統の制御装置に制御指令を送出するものであり、上記２系統については、上記２系統の分割後の電力を上記２系統の目標値に設定する電力レベル設定手段と、上記２系統の発電機器の発電電力が上記２系統の目標値より高いか否かを判断する比較手段と、上記比較手段の比較により、上記２系統の発電機器の発電電力が上記２系統の目標値より高い場合は、上記２系統の分割後の電力を出力するように上記２系統の制御装置に制御指令を送出する発電量指令手段と、上記比較手段の比較により、上記２系統の発電機器の発電電力が上記２系統の目標値を超えた場合は、超えた電力を上記２系統の蓄電装置に充電する制御指令を送出する充放電指令手段を具備するものであり、上記監視制御装置は、上記１系統と上記２系統の上記制御動作を１日毎に入れ換えるものである上記第１〜４の何れかに記載の再生可能エネルギーを用いた電力供給設備により構成される。
【００１９】
上記１系統における複数の目標値は例えば目標値（Ｓ１，Ｓ２，Ｓ３，Ｓ４）である。また、最大の目標値は例えば１系統の分割後の電力と同一のＳ２（例えば１５０［ｋｗ］）である。上記１系統の分割後の電力よりも低い目標値は例えば目標値（Ｓ１，Ｓ３，Ｓ４）である。上記不足分の電力は、例えば電力（Ｓ２−Ｓ１＝Ｓ１’，Ｓ２−Ｓ３＝Ｓ３’，Ｓ２−Ｓ４＝Ｓ４’）である。上記２系統の目標値は例えば目標値（Ｓ５）であり、２系統の分割後の電力（例えば５０［ｋｗ］）と同一である。このように構成すると、１系統においては１系統の発電電力が１系統の分割後の電力より低い場合は、不足分の電力を１系統の蓄電装置からの放電により補いながら、１系統の分割後の電力（一定値、例えばＳ２）を供給でき、２系統においては２系統の蓄電装置への蓄電量を大きくすることができ、このような制御を１日毎に入れ換えることにより、要求される供給電力を既設の交流配線に安定して供給することができる。
【００２０】
第６に、上記１系統の制御装置は、上記監視制御装置からの上記制御指令が充電指令か放電指令かを判断する判断手段と、上記判断手段の判断が放電指令の場合は、上記１系統の発電機器に対して上記分割後の電力より低い目標値を出力するように制御する発電量制御手段と、上記不足分の電力を上記１系統の蓄電装置からの放電により補うように制御する充放電制御手段とを具備し、これにより上記低い目標値からなる電力と上記放電による不足分の電力の合計からなる上記１系統の分割後の電力が、上記１系統の系統連系変換装置から出力されるものであり、上記判断手段の判断が充電指令の場合は、上記発電量制御手段は、上記１系統の発電機器に対して上記１系統の分割後の電力を出力するように制御することにより、上記１系統の分割後の電力が上記１系統の系統連系変換装置から出力されるものであり、上記充放電制御手段は、上記１系統の分割後の電力を超えた電力については上記１系統の蓄電装置に充電するように制御するものであり、上記２系統の制御装置は、上記監視制御装置からの上記制御指令が充電指令か放電指令かを判断する判断手段と、上記判断手段の判断が上記充電指令の場合は、上記２系統の発電機器に対して上記２系統の分割後の電力を出力するように制御する発電量制御手段と、上記２系統の分割後の電力を超えた電力については上記２系統の蓄電装置に充電するように制御する充放電制御手段とを具備し、これにより上記２系統の分割後の電力が上記２系統の系統連系変換装置から出力されるものであり、上記１系統と上記２系統の制御装置は、上記監視制御装置からの上記制御指令により、上記１系統と上記２系統の制御動作を１日毎に入れ換えるものである上記第５に記載の再生可能エネルギーを用いた電力供給設備により構成される。
【００２１】
上記１系統において分割後の電力（目標値Ｓ２、例えば１５０［ｋｗ］）より低い目標値とは例えば目標値（Ｓ１，Ｓ３，Ｓ４）をいう。上記不足分の電力は、例えば電力（Ｓ２−Ｓ１＝Ｓ１’，Ｓ２−Ｓ３＝Ｓ３’，Ｓ２−Ｓ４＝Ｓ４’）である。上記２系統の分割後の電力は例えば５０［ｋｗ］である。このように構成すると、１系統においては１系統の発電電力が１系統の分割後の電力より低い場合は、不足分の電力を１系統の蓄電装置からの放電により補いながら、１系統の分割後の電力（一定値、例えばＳ２）を供給でき、２系統においては２系統の蓄電装置への蓄電量を大きくすることができ、このような制御を１日毎に入れ換えることにより、要求される供給電力を既設の交流配線に安定して供給することができる。
【００２２】
第７に、上記既存の交流配線に電気自動車の充電装置を接続すると共に、上記監視制御装置と通信可能なスマートメータを設け、上記監視制御装置は、上記スマートメータを介して上記電気自動車の充電装置の充電開始の情報を受けると、上記低い方の分割後の電力を担当する電力供給設備の出力電力を、充電期間中だけ増加させるものである上記第１〜６の何れかに記載の再生可能エネルギーを用いた電力供給設備により構成される。
【００２３】
このように構成すると、目標値の低い方の系統の電力供給設備を使用するので、蓄電池の容量は豊富に存在するので、蓄電池に貯蔵された電力を電気自動車の充電に有効に活用することができる。
【発明の効果】
【００２４】
本発明によれば、要求される供給電力を１系統と２系統の電力供給設備に振り分けて担当させることができ、仮に、他方の系統は供給電力の目標値を高く蓄電量を少なく設定し、一方の系統は供給電力の目標値を低く蓄電量を多く設定し、このような振り分けを１日毎に入れ換えて行うことにより、常時、蓄電量の多い系統の電力供給設備側を、翌日は、供給電力の目標値の高い方に設定することができるので、仮に天候不良等により、供給電力の目標値の高い電力供給設備にて蓄電装置からの多くの放電が必要になった場合であっても、支障なく対応が可能となる。
【００２５】
また、入れ換え動作を行うことにより、常時、蓄電量の多い系統の電力供給設備側を、翌日には、供給電力の目標値の高い方に設定することができるので、仮に天候不良等により、供給電力の目標値の高い電力供給設備にて蓄電装置からの多くの放電が必要になった場合であっても、支障なく対応が可能となる。
【００２６】
また、１系統と２系統の制御装置を含む電力供給設備と監視制御装置とを無線にて接続することにより、本発明に係る電力供給設備とは離れた場所に監視制御装置を設置することができ、遠隔地から電力供給設備の動作制御、及び、監視制御を行うことができる。よって、例えば、離島等に既に設けられているマイクログリッドによる分散電源に、本発明の電力供給設備を比較的容易に設置することが可能となる。
【００２７】
また、電気自動車の充電に、目標値の低い方の系統の電力供給設備を使用するので、蓄電池の容量は豊富に存在するので、蓄電池に貯蔵された電力を電気自動車の充電に有効に活用することができる。
【図面の簡単な説明】
【００２８】
【図１】本発明に係る再生可能エネルギーを用いた電力供給設備の配線図である。
【図２】同上電力供給設備の制御系統を含めた電気的ブロック図である。
【図３】同上電力供給設備の監視制御装置の制御動作を示すフローチャートである。
【図４】同上電力供給設備の動作を説明するためのブロック図である。
【図５】同上電力供給設備の制御系統を示すブロック図である。
【図６】同上電力供給設備の第２の実施形態を示すブロック図である。
【図７】同上電力供給設備の第２の実施形態の動作を説明するためのブロック図である。
【図８】同上電力供給設備の１系統のＳＰＭのブロック図である。
【図９】同上電力供給設備の２系統のＳＰＭのブロック図である。
【図１０】同上電力供給設備のＥＭＳのブロック図である。
【図１１】同上電力供給設備の１系統のＥＭＳのフローチャートである。
【図１２】同上電力供給設備の２系統のＥＭＳのフローチャートである。
【図１３】同上電力供給設備のＥＭＳのフローチャートである。
【図１４】（ａ）〜（ｃ）は何れもＥＭＳのデータ記憶部の記憶データを示す図である。
【図１５】同上電力供給設備の１系統のＳＰＭのフローチャートである。
【図１６】同上電力供給設備の２系統のＳＰＭのフローチャートである。
【図１７】同上電力供給設備のＰＶコンバータのブロック図であり、（ａ）は１系統、（ｂ）は２系統を示す。
【図１８】同上電力供給設備のバッテリーコントローラのブロック図であり、（ａ）は１系統、（ｂ）は２系統を示す。
【図１９】同上電力供給設備の監視制御装置の１系統の機能ブロック図である。
【図２０】同上電力供給設備の監視制御装置の２系統の機能ブロック図である。
【図２１】同上電力供給設備のＳＰＭの１系統の機能ブロック図である。
【図２２】同上電力供給設備のＳＰＭの２系統の機能ブロック図である。
【発明を実施するための形態】
【００２９】
以下、本発明に係る再生可能エネルギーを用いた電力供給設備について詳細に説明する。
【００３０】
（第１の実施形態）
図１は、本発明に係る再生可能エネルギーを用いた電力供給設備の全体の構成を示す。
【００３１】
同図において、破線で示すものは太陽光発電アレイ１ａ〜１ｄを用いた既存の発電設備であり、複数の太陽光発電パネルを有する各太陽光発電アレイ１ａ〜１ｄは各々１００［ｋｗ］の出力を有する。各太陽光発電アレイ１ａ〜１ｄには各々パワーコンディショナー（以下、「ＰＣＳ」という）２ａ〜２ｄを介して交流配線３に接続され、配電用変圧器４及び出力交流配線（既設の交流配線）５を介して外部のマイクログリッド電源６に接続されている。上記各太陽光発電アレイ１ａ〜１ｄの出力は各々１００［ｋｗ］であり、上記ＰＣＳ２ａ〜２ｄにて直流から交流３８０Ｖに変換かつ安定化され、３相４線３８０Ｖの交流配線３を介して上記配電用変圧器４により昇圧され、上記交流配線５を介して上記外部マイクログリッド電源６に供給される。
【００３２】
７は既設の蓄電池（パナジウムリドックス、容量５００［ｋｗｈ］）、７ａ，７ｂは上記蓄電池７用のインバータ（バッテリーコントローラ）、８は配電用変圧器である。上記蓄電池７は、既設発電設備の出力目標値に応じて、出力電力（発電量）が出力目標値を超える場合は、出力目標値を超える電力を貯蔵し、出力電力が出力目標値より低い場合は、放電を行い出力目標値の出力電力を維持する動作を行う。
【００３３】
上記既存発電設備に対して、本発明に係る以下の構成を付加する。
上記既設の４つの太陽光発電アレイ１ａ〜１ｄの出力直流配線に、切換スイッチ９ａ〜９ｄを介して，新規直流配線１０ａ〜１０ｄを接続し、上記２つの太陽光発電アレイ１ａ，１ｂに対応する新規の配線１０ａ，１０ｂを、ＰＣＳ２ａ，２ｂを経ることなく２つのＰＶコンバータ（ＤＣ／ＤＣコンバータ）１１ａ，１１ｂ（図１７（ａ）参照）に接続し、直流給電ラインであるＤＣ３８０Ｖライン１２に接続する。上記ＰＶコンバータ１１ａ，１１ｂは所謂スイッチングレギュレータであり、太陽光発電アレイ１ａ，１ｂの複数の太陽光発電モジュールにて発電された直流電圧を３８０Ｖに変換し、上記ＤＣ３８０Ｖライン１２に出力するものである。
【００３４】
同様に、上記切換スイッチ９ｃ，９ｄを介して、新規直流配線１０ｃ，１０ｄを接続し、上記２つの太陽発電アレイ１ｃ，１ｄに対応する新規の配線１０ｃ，１０ｄを、ＰＣＳ２ｃ，２ｄを経ることなく２つのＰＶコンバータ（ＤＣ／ＤＣコンバータ）１１ｃ，１１ｄ（図１７（ｂ）参照）に接続し、直流給電ラインであるＤＣ３８０Ｖライン１２に接続する。上記ＰＶコンバータ１１ｃ，１１ｄは所謂スイッチングレギュレータであり、同時に太陽光発電アレイ１ｃ，１ｄの複数の太陽光発電モジュールにて発電された直流電圧を３８０Ｖに変換し、上記ＤＣ３８０Ｖライン１２に出力するものである。
【００３５】
上記ＤＣ３８０Ｖライン１２には、上記太陽光アレイ１ａ，１ｂに対応するＤＣ３８０Ｖライン１２ａにバッテリーコントローラ１３ａ（図１８（ａ）参照）が接続され、上記バッテリーコントローラ１３ａに鉛蓄電池１４ａ（容量５７６［ｋｗｈ］）が接続されている。また、上記太陽光アレイ１ｃ，１ｄに対応するＤＣ３８０Ｖライン１２ｂにバッテリーコントローラ１３ｂが接続され、該バッテリーコントローラ１３ｂ（図１８（ｂ）参照）に鉛蓄電池１４ｂ（容量５７６［ｋｗｈ］）が接続されている。上記各バッテリーコントローラ１３ａ，１３ｂは、後述の監視制御装置（エネルギーマネージメントシステム、以下「ＥＭＳ」という）１９の制御指令に基づいて上記各蓄電池１４ａ，１４ｂに対して充放電動作を行うものである。
【００３６】
上記ＤＣ３８０Ｖライン１２ａは系統連系インバータ１５ａ（５０[ｋｗ]×３）に接続され、当該インバータ１５ａにてＤＣ３８０Ｖの直流が交流（三相４線２２０V）に変換され、交流開閉配電盤１６ａを介して新規交流配線１７に接続され、該新規配線１７を介して既設の上記交流配線３に接続されている。上記ＤＣ３８０Ｖライン１２ｂは系統連携インバータ１５ｂ（５０[ｋｗ]×３）に接続され、当該インバータにてＤＣ３８０Ｖの直流が交流（３相４線２２０V）に変換され、交流開閉配電盤１６ｂを介して上記新規交流配線１７に接続、同様に新規配線１７を介して既設の上記交流配線３に接続されている。
【００３７】
ここで、上記太陽光発電アレイ１ａ，１ｂ、ＰＶコンバータ１１ａ，１１ｂ、ＤＣ３８０Ｖライン１２ａ、上記系統連携インバータ１５ａ、及びそれに接続されたバッテリーコントローラ１３ａ及び蓄電池１４ａを含む電力供給設備を「１系統」、上記太陽光アレイ１ｃ，１ｄ、ＰＶコンバータ１１ｃ，１１ｄ、ＤＣ３８０Ｖライン１２ｂ、上記系統連携インバータ１５ｂ及びそれに接続されたバッテリーコントローラ１３ｂ及び蓄電池１４ｂを含む電力供給設備を「２系統」という。
【００３８】
本発明に係る発電設備の電気的ブロック図（制御系を含む）を図２に示す。
同図において、１８ａは１系統のスマートメータであり、太陽光発電アレイ１ａ，１ｂの発電電力（図１、図２のａ点の発電電力）、電池残量計測装置（バッテリーモニタリングユニット、以下「ＢＭＵ」という）２２ａの計測値であるバッテリー残量（容量［ｋｗｈ］、図２のｂ点の残量）、１系統の上記系統連系インバータ１５ａの出力側のデータ（ｃ点の交流データ、即ち、１系統の発電電力量［ｋｗｈ］及び／又は瞬時の発電電力［ｋｗ］、発電電圧［Ｖ］、電流値［Ａ］、周波数［Ｈｚ］、力率［ｃｏｓθ］等）を検出し、後述のスマートパワーマネージャ２１ａ（以下、「ＳＰＭ２１ａ」という）に無線送信するものである。
【００３９】
上記ＳＰＭ２１ａは、上記スマートメータ１８ａにて取得した上記１系統の各種データを監視制御装置（エネルギーマネージメントシステム、以下「ＥＭＳ」という）１９に無線送信するものである。また、上記ＳＰＭ２１ａは、上記ＥＭＳ１９からの各種制御指令を無線で受けて上記１系統の系統連系インバータ１５ａの交流出力（発電電力）を制御すると共に、バッテリーコントローラ１３ａを介して鉛蓄電池１４ａの充放電を制御するものである。
【００４０】
１８ｂは同様に、２系統のスマートメータであり、太陽光発電アレイ１ｃ，１ｄの発電電力（図１、図２のａ’点の発電電力）、上記ＢＭＵ２２ｂの計測値であるバッテリー残量（容量［ｋｗｈ］、図２のｂ’点の残量）、２系統の上記系統連携インバータ１５ｂの出力側のデータ（ｃ’点の交流データ、即ち、１系統の発電電力量［ｋｗｈ］及び／又は瞬時の発電電力［ｋｗ］、発電電圧［Ｖ］、電流値［Ａ］、周波数［Ｈｚ］、力率［ｃｏｓθ］等）を検出し、上記ＳＰＭ２１ｂに無線送信するものである。
【００４１】
上記ＳＰＭ２１ｂは、上記スマートメータ１８ｂにて取得した上記２系統の各種データを上記ＥＭＳ１９に無線送信するものである。また、上記ＳＰＭ２１ｂは、上記ＥＭＳ１９からの各種制御指令を無線で受けて上記２系統の系統連系インバータ１５ｂの交流出力（発電電力）を制御すると共に、バッテリーコントローラ１３ｂを介して鉛蓄電池１４ｂの充放電を制御するものである。
【００４２】
スマートメータコントローラ２３（以下、「ＳＭＣ」という）は、ＥＭＳ１９からのスマートメータ１８ａ，１８ｂへの制御指令を無線で受けて、上記スマートメータ１８ａ，１８ｂを無線信号にて制御するとともに、ＥＭＳ１９からの各系統のＳＰＭ２１ａ，２１ｂへの制御指令を無線で受けて、各ＳＰＭ２１ａ，２１ｂにその制御指令を無線送信するものである。
【００４３】
本発明に係る再生可能エネルギーを用いた電力供給設備の制御について説明する。
【００４４】
図２は、図１の新規に設置された配線図に、各種制御を行う制御部及びデータの通信バス２０ａ，２０ｂを付加したものである。
【００４５】
上記１系統において、上記ＳＰＭ２１ａは上記ＥＭＳ１９からの制御指令に基づいて、上記バッテリーコントローラ１３ａを制御して、上記蓄電池１４ａの充放電を行うことにより、太陽光発電アレイ１ａ，１ｂによる発電電力の変動を所定時間毎の目標値（Ｓ１〜Ｓ４、図４参照）に一定に平滑化するための動作等、その他１系統の電力供給設備から分割後の電力を出力するように制御を行うものであり、上記通信バス２０ａにより、上記系統連系インバータ１５ａ、上記ＢＭＵ２２ａ、上記バッテリーコントローラ１３ａ、上記ＰＶコンバータ１１ａ，１１ｂに接続されている。
【００４６】
上記ＳＰＭ２１ａは（図８参照）、後述の図１５及び図１６に示す動作手順のプログラムを記憶したプログラム記憶部３２ａ、上記プログラムに従って各種制御を行うＣＰＵ３２ｂ、上記プログラムの動作過程において各種データを一時的に記憶するデータ記憶部３２ｃ、上記スマートメータ１８ａ又は上記ＥＭＳ１９との通信を行う通信部３２ｄを具備しており、これらの装置が通信バス３２を介して接続されている。３３は上記スマートメータ１８ａ及びＥＭＳ１９との通信を行うための無線送受信機である。また、上記通信バス３２はＩ／Ｏ３２ｅを通じて、上記通信バス２０ａにより系統連系コンバータ１５ａ、ＢＭＵ２２ａ、バッテリーコントローラ１３ａに接続されている。
【００４７】
上記ＢＭＵ２２ａは、上記蓄電池１４ａの残量を検出し得る装置であり、上記鉛蓄電池のような二次電池の場合、使用した二次電池の充放電特性、内部抵抗を予め測定しておき、二次電池の端子電圧及び電流を測定することにより起電力を算出し、充放電特性から蓄電池の蓄電量を求めることができる。従って、満充電池時の蓄電量を予め検出しておき、その満充電時の蓄電量から上記蓄電量を差し引くことで電池残量を検出することが可能となる。上記ＢＭＵ２２ａは、上記電池残量データを上記ＳＰＭ２１ａ及び上記ＥＭＳ１９に常時無線又は有線にて送信しているものである。
【００４８】
上記２系統においても同様の構成であり（図２参照）、上記ＳＰＭ２１ｂは上記ＥＭＳ１９からの制御指令に基づいて、上記バッテリーコントローラ１３ｂを介して、上記蓄電池１４ｂの充放電を行うことにより、太陽光発電アレイ１ｃ，１ｄによる発電電力の変動を所定時間毎の目標値（図４、Ｓ５参照）に一定に平滑化するための動作等、その他２系統の電力供給設備から分割後の電力を出力するように制御を行うものであり、上記通信バス２０ｂにより、上記連系インバータ１５ｂ、上記ＢＭＵ２２ｂ、上記バッテリーコントローラ１３ｂ、上記ＰＶコンバータ１１ｃ，１１ｄに接続されている。
【００４９】
上記ＳＰＭ２１ｂは（図９参照）、後述の図１５及び図１６に示す動作手順のプログラムを記憶したプログラム記憶部３３ａ、上記プログラムに従って各種制御を行うＣＰＵ３３ｂ、上記プログラムの動作過程において各種データを一時的に記憶するデータ記憶部３３ｃ、上記スマートメータ１８ｂ又は上記ＥＭＳ１９との通信を行う通信部３３ｄを具備しており、これらの装置が通信バス３３’を介して接続されている。３４は上記スマートメータ１８ｂ及びＥＭＳ１９との通信を行うための無線送受信機である。また、上記通信バス３３’はＩ／Ｏ３３ｅを通じて、上記通信バス２０ｂにより系統連系コンバータ１５ｂ、ＢＭＵ２２ｂ、バッテリーコントローラ１３ｂに接続されている。尚、１系統と２系統の制御を１日毎に入れ換えるので、図８及び図９のＳＰＭ２１ａ，２１ｂの各プログラム記憶部３２ａ，３３ａは両方のプログラム（図１５、図１６のプログラム）を記憶している。
【００５０】
上記ＢＭＵ２２ｂは、上記蓄電池１４ｂの残量を検出し得る装置であり、上記鉛蓄電池のような二次電池の場合、上記ＢＭＵ２２ａと同様の構成により上記蓄電池１４ｂの電池残量を検出し、当該電池残量データを上記ＥＭＳ１９に常時無線送信しているものである。上記ＳＭＣ２３は（図２参照）、上記１系統及び２系統に共通に設けられたものであり、上記ＥＭＳ１９から無線による制御指令を受けて、各指令毎に１系統又は２系統のスマートメータ１８ａ，１８ｂに振り分けるものである。
【００５１】
上記ＥＭＳ１９は、上記スマートメータ１８ａ，１８ｂ、上記ＳＭＣ２３、上記ＳＰＭ２１ａ，２１ｂ、ＢＭＵ２２ａ，２２ｂと無線にて双方向に通信可能であり、例えばＷｉＦｉ規格の例えば２．４ＧＨｚ帯の電波を使用することができる。勿論、上記ＥＭＳ１９と上記電力設備との間には、中継器を設け、中継器を介して送受信し得るように構成することもできる。このＥＭＳ１９は、１系統の上記ＳＰＭ２１ａ及び２系統の上記ＳＰＭ２１ｂから送られてくる各種データ（例えば、少なくとも、１系統、２系統の発電機器の発電電力データ、１系統、２系統の蓄電装置の残量データ、１系統、２系統の系統連系変換装置の出力電力に関するデータ等）を受け、１系統の系統連系インバータ１５ａの出力電力（１系統が担当する分割後の電力）と、２系統の系統連系インバータ１５ｂの出力電力（２系統が担当する分割後の電力）の合計が、３時から１５時までの間において、要求された一定の供給電力を上記出力交流配線５に常時出力し得るように制御するものである。
【００５２】
具体的には、上記ＥＭＳ１９は図１０に示す構成を有するものである。このＥＭＳ１９は、後述の図３、図１１〜図１３に示す動作手順のプログラムを記憶したプログラム記憶部１９ｂ、上記制御プログラムに従って各種制御を行うＣＰＵ１９ａ、上記制御プログラムの動作過程において各種データを一時的に記憶するデータ記憶部１９ｄ（図１４参照）、ハブ３０を介して無線送受信機３１との通信を行う通信部１９ｃ、キーボード等の入力手段１９ｅ、各種情報を表示するモニタ等の表示部１９ｆを具備しており、これらの装置が通信バス１９’を介して接続されている。
【００５３】
次に、図５により本発明の制御系の全体構成を説明する。本発明の制御の中心を構成するのは上記ＥＭＳ１９である。各系統の各所には複数のスマートメータ１８ａ，１８ｂが設置されており、これらのスマートメータ１８ａ，１８ｂからの上記各種計測データ（ＢＭＵ２２ａ，２２ｂからのデータを含む）は、ＳＰＭ２１ａ，２１ｂを介して、常時又は一定時間毎に、ＥＭＳ１９に送信されている。よって、上記ＥＭＳ１９は、各系統の各種データを把握している。このＥＭＳ１９は、気象観測装置３９からの気象データも受信しており、消費電力予測等に使用している。そして、このＥＭＳ１９は、送られてくる各種データに基づいて制御指令を上記ＳＰＭ２１ａ，２１ｂ又はＳＭＣ２３に送信し、１系統及び２系統の電力設備の出力電力を制御し得るように構成されている。また、ＦＡＮ制御とはＦｉｅｌｄ  Ａｒｅａ  Ｎｅｔｗｏｒｋ制御をいう。尚、同図中、停電起動装置４４は、停電時にＳＰＭ２１ａ，２１ｂに電源を回復する起動指令を送信するものである。
【００５４】
以下、本発明に係る再生可能エネルギーを使用した電力供給設備の動作について図３、図４に基づいてその概要を説明する。
【００５５】
上記ＥＭＳ１９は、顧客が要求する電力（要求される供給電力）に対して、当該再生  エネルギーによる電力設備を以下のように制御する。ここで、上記電力要求は、例えば、電力供給時間の９時から１５時までにおいて、要求される供給電力（電力要求）が２００［ｋｗ］であるとする。従って、９時から１５時の間は、切換スイッチ９ａ〜９ｄは既設の設備側から新規の付加設備側（新規の直流配線１０ａ〜１０ｄ側）に切り換えられているものとする。
【００５６】
図３において、まず、顧客要求をＥＭＳ１９に入力する。この場合、要求される供給電力２００［ｋｗ］、供給時間は９時から１５時をＥＭＳ１９に入力する（図３Ｐ１参照）。
【００５７】
上記ＥＭＳ１９は、上記２００［ｋｗ］を分割し、１系統と２系統に振り分ける（図３Ｐ２参照）。ここでは、１系統において１５０［ｋｗ］の電力（系統連系インバータ１５ａの最大出力、１系統の分割後の電力）、２系統において５０［ｋｗ］の電力（最大出力以下、即ち系統連系インバータ１５ｂの最大出力の１／３、２系統の分割後の電力）に振り分け、この振り分けを１日毎に入れ替えるように設定する（図３Ｐ２３、図４の１系統、２系統参照）。従って、１日目は１系統の電力設備において１５０［ｋｗ］の一定電力を出力し（図４供給電力量Ｋ１参照）、２系統の電力設備において５０［ｋｗ］の一定電力を出力し（図４供給電力量Ｋ２参照）、１系統と２系統の合計の一定電力２００［ｋｗ］を外部マイクログリッド６に出力し（図４供給電力量Ｋ３参照）、２日目はこれを入れ換えて、１系統の電力設備で５０［ｋｗ］の一定電力を出力し、２系統の電力設備で１５０［ｋｗ］の一定電力を出力し、この入れ換え動作を１日毎に繰り返す（図４、図３Ｐ２３、図１３参照）。
【００５８】
次に、１系統の電力設備についての上記ＥＭＳ１９の動作を説明する。  
このＥＭＳ１９は、１系統の発電電力データ（図４の１系統の発電電力Ｍ１）をスマートメータ１８ａ（上記ＳＰＭ２１ａ）を介して無線で一定時間毎、又は、常時受信する（図３Ｐ３参照）。この発電電力は、太陽光発電アレイ１ａ，１ｂの発電によるものなので、時間によって安定しておらず、例えば、図４にＭ１で示すように、常時細かく変化するとともに、全体としては昼間を頂点とした山形となる。
【００５９】
上記ＥＭＳ１９は、上記発電電力データを受けると、全体で発電電力が１５０［ｋｗ］（一定）（これを目標値Ｓ２とする）となるように、時間毎の目標値の電力を設定する（図３Ｐ４参照）。具体的には、時刻ｔ１から時刻ｔ２は目標値Ｓ１（＜Ｓ２）、時刻ｔ２から時刻ｔ３は目標値Ｓ２（＝１５０［ｋｗ］、最大出力）、時刻ｔ３から時刻ｔ４は目標値Ｓ３（＜Ｓ２）、時刻ｔ４から時刻ｔ５は目標値Ｓ４（＜Ｓ２）に設定する（図４、１系統参照）。尚、上記目標値Ｓ２が最大定格１５０［ｋｗ］とする。よって、目標値Ｓ２は１系統の分割後の電力と一致する。
【００６０】
その後、上記発電電力Ｍ１と上記目標値とを比較する（図３Ｐ５参照）。当該比較動作により、時刻ｔ１から時刻ｔ２の間において、その時点の発電電力Ｍ１が目標値Ｓ１より大である場合は、目標値Ｓ１の全部をＤＣ３８０Ｖラインに出力するように上記ＳＰＭ２１ａに指令し（図３Ｐ６，Ｐ１１参照）、目標値Ｓ１を上回る（Ｓ２−Ｓ１＝Ｓ１’）の部分の発電電力Ｍ１は、蓄電池１４ａから放電により補充するように上記ＳＰＭ２１ａに指令する（図３Ｐ１２参照）。従って、時刻ｔ１からｔ２の間は、ＳＰＭ２１ａの制御により、図４に示すように、目標値Ｓ１に相当する一定の発電電力がＤＣ３８０Ｖライン１２ａを介してＤＣ／ＡＣインバータ（系統連系インバータ）１５ａに送出されると共に（図４矢印Ｌ１，Ｌ２参照）、蓄電池１４ａから（Ｓ２−Ｓ１＝Ｓ１’）に相当する発電電力がＤＣ３８０Ｖライン１２ａを介してＤＣ／ＡＣインバータ（系統連系インバータ）１５ａに送出され（図４矢印Ｌ４参照）、当該インバータ１５ａにより直流電圧から３相４線２２０Ｖの交流に変換され、新設配線１７に出力される（図３Ｐ９、図４矢印Ｌ５参照）。かかる動作により、上記ＤＣ／ＡＣインバータ（系統連系インバータ）１５ａから上記新設配線１７に１５０［ｋｗ］（＝Ｓ２）の一定電力が出力される（図４矢印Ｌ５参照）。このような動作は、時刻ｔ３から時刻ｔ４、時刻ｔ４から時刻ｔ５においても同様であり、これらの期間においては目標値Ｓ３，Ｓ４の太陽光発電アレイ１ａ，１ｂによる発電による電力と、（Ｓ２−Ｓ３＝Ｓ３’）及び（Ｓ２−Ｓ４＝Ｓ４’）の部分の電力は、蓄電池１４ａからの放電による電力により補われ、上記期間においては系統連携インバータ１５ａから１５０［ｋｗ］（分割後の電力）の一定の電力が新設配線１７に供給される（図３Ｐ９、図４矢印Ｌ５参照）。
【００６１】
その後、ＥＭＳ１９は、要求時間である１５時が未だ経過していないことを検出し（図３Ｐ１０参照）、再びステップＰ３に戻って、ステップＰ４からステップＰ１０の動作を繰り返す。
【００６２】
上記ＥＭＳ１９は図３のステップＰ６において（時刻ｔ２から時刻ｔ３の範囲）、発電電力が目標値Ｓ２を超えていると判断した場合は、当該目標値（Ｓ２＝１５０［ｋｗ］）の一定電力を全部出力するようにＳＰＭ２１ａに指示すると共に（図３Ｐ７参照）、目標値を上回った電力については蓄電池１４ａに充電するように上記ＳＰＭ２１ａに指示する（図３Ｐ８参照）。
【００６３】
従って、かかる動作により、時刻ｔ２から時刻ｔ３の期間においては、上記ＤＣ／ＡＣインバータ（系統連系インバータ）１５ａから上記新設配線１７に１５０［ｋｗ］の一定の電力が出力されると共に（図４矢印Ｌ１，Ｌ２参照）、目標値Ｓ２を超えた発電電力については蓄電池１４ａに充電が行われる（図４矢印Ｌ３参照）。
【００６４】
尚、発電電力Ｍ１が目標値Ｓ１より小さい場合は、発電電力Ｓ１を全部出力し、不足分を蓄電池１４ａから放電して出力される電力が１５０[ｋｗ]となるように指示する（図３Ｐ１１，P１２参照）。
【００６５】
次に、２系統の電力設備についての上記ＥＭＳ１９の動作を説明する。
上記ＥＭＳ１９は、２系統の発電電力データ（図４の２系統の発電電力Ｍ２）をスマートメータ１８ｂ（ＳＰＭ２１ｂ）を介して無線で受信する（図３Ｐ１３参照）。この発電電力は、太陽光発電アレイ１ｃ，１ｄの発電によるものなので、時間によって安定しておらず、同様に、例えば、図４にＭ２で示すように、常時細かく変化するとともに、全体としては昼間を頂点とした山形となる。
【００６６】
上記ＥＭＳ１９は、上記発電電力データを受けると、全体で５０［ｋｗ］（一定）となるように、時間毎の目標電力を設定する（図３Ｐ１４参照）。具体的には、時刻ｔ１から時刻ｔ５まで一定の出力目標値Ｓ５を設定する（図３Ｐ１４）。この場合、時刻によらず、発電電力Ｍ２より低い一定の目標値（Ｓ５＝５０［ｋｗ］、分割後の電力）が設定される。
【００６７】
その後、上記発電電力Ｍ２と上記目標値Ｓ５とを比較する（図３Ｐ１５参照）。当該比較動作により、時刻ｔ１から時刻ｔ５の間において、その時点の発電電力Ｍ２が目標値Ｓ５より大であるので、目標値Ｓ５をＤＣ３８０Ｖ配線１２ｂに出力するようにＳＰＭ２１ｂに指令し（図３Ｐ１６，Ｐ１７参照）、目標値Ｓ５を上回る発電電力Ｍ２は蓄電池１４ａに充電するように上記ＳＰＭ２１ｂに指令する（図３Ｐ１８）。従って、上記ＳＰＭ２１ｂの制御により、時刻ｔ１からｔ５の間は、図４に示すように、目標値Ｓ５に相当する一定の発電電力（５０［ｋｗ］）がＤＣ３８０Ｖライン１２ｂを介してＤＣ／ＡＣインバータ（系統連系インバータ）１５ｂに送出され（図４矢印Ｌ１’，Ｌ２’参照）、当該インバータ１５ｂにより直流電圧から３相４線２２０Ｖの交流に変換され、新設配線１７に出力される（図３Ｐ１９、図４矢印Ｌ５’）。かかる動作により、上記ＤＣ／ＡＣインバータ１５ｂから上記新設配線１７に５０［ｋｗ］の一定電力が出力され、上記ＳＰＭ２１ｂの制御により、バッテリーコントローラ１３ｂは上記目標値Ｓ５を上回る発電電力Ｍ２が蓄電池１４ｂに充電される（図３Ｐ１８、図４矢印Ｌ３’参照）。
【００６８】
以上の制御により、系統連系インバータ１５ａと系統連系インバータ１５ｂの出力電力として合計２００［ｋｗ］の一定電力を、出力交流配線５に供給することができる（図４供給電力Ｋ３参照）。
【００６９】
その後、ＥＭＳ１９は、時刻１５時に至っていないか否かを検出し（図３Ｐ２０参照）、再びステップP１３に戻って、ステップＰ１４からステップＰ２０の動作を繰り返す。この場合、２系統の出力電力は５０［ｋｗ］と低いので、蓄電池１４ｂに充電される割合が増加し、蓄電池１４ｂは略満充電に近い状態とすることができる
【００７０】
尚、発電電力が目標値Ｓ５より小さい場合は、発電電力Ｍ２を全部出力し、不足分を蓄電池１４ｂから放電して出力される電力が５０［ｋｗ］となるように指示する（図３Ｐ２１、P２２参照）。しかしながら、２系統の目標値Ｓ５は発電電力に対して相当程度低く設定しているため、通常、２系統で蓄電池には主として充電動作が行われる。
【００７１】
その後、時刻が１５時になったとき、ＥＭＳ１９は、１系統と２系統の動作を入れ換えて、翌日の９時から、ステップＰ２から以後の動作を繰り返し行う（図３Ｐ２３参照）。従って、翌日の９時からは、前日の２系統（発電電力５０［ｋｗ］）において、１５０［ｋｗ］の発電出力を担当し、前日の１系統（発電電力１５０［ｋｗ］）において、５０［ｋｗ］の発電出力を担当することになる。その後は、１日毎に、１系統の動作と２系統の動作の入れ換えを順次行う。
【００７２】
このように、２つの系統の電力設備を設け、要求電力を１系統と２系統に振分け、１系統にて例えば要求電力の７５％の電力（１５０[ｋｗ]）を出力し、２系統にて要求電力の２５％の電力（５０[ｋｗ]）を出力し、２つの合計で要求電力の１００％（２００［ｋｗ］）を供給できるようにし、この振分けを日ごとに変更（入れ換え）することにより、２５％を担当した一方の電力設備の蓄電池に多くの電力を貯蔵することができ、入れ換えた場合に（７５％の担当時）、天候等の影響で、発電電力が目標値に達せずに、蓄電池から多くの放電をせざるを得ない状況になっても、十分に対応することができる。
【００７３】
また、蓄電池は、満充電に近い状態と、低い充電状態を１日毎に繰り返すことになるため、蓄電池の寿命を長くすることができる。
【００７４】
尚、上記７５％と２５％の振り分けは一例であり、振り分ける電力の割合は任意に設定することができる。例えば、１系統の電力を８５％から６５％の何れか、２系統の電力を１５％から３５％の何れか、とすることができる。但し、両系統の担当電力を均等に割り振るのではなく、一方の系統の供給電力をより多くし（例えば１５０[ｋｗ]）、他方の系統の供給電力を少なくし（例えば５０[ｋｗ]）、当該他方の系統の蓄電池により多くの充電がなされるように設定することが重要である。これにより、低い供給電力を担当する系統の蓄電池は常時、満充電に近い状態を実現でき（図４、２系統の蓄電池１４ｂ参照）、翌日に高い電力を担当することになったとき、天候の急変等による発電電力の減少等が生じたとしても、当該系統の蓄電池からの放電にて供給電力を維持することが可能となる。
【００７５】
次に、本発明に係る電力供給設備の動作をより詳しく説明する。
尚、上記ＥＭＳ１９の機能ブロックを図１９（１系統）及び図２０（２系統）に、上記ＳＰＭ２１ａ，２１ｂの機能ブロックを図２１（1系統）及び図２２（2系統）に示す。これらの機能ブロックは、動作説明と共に説明する。
【００７６】
図４において、Ｓ２を１系統の１５０［ｋｗ］の電力、Ｓ５を２系統の５０［ｋｗ］の電力とする。また、１系統の上記ＰＶコンバータ１１ａ，１１ｂ、２系統の上記ＰＶコンバータ１１ｂ，１１ｃは図１７（ａ）（ｂ）に示すように、１系統は、ＤＣ／ＤＣコンバータ１１ａ’，１１ｂ’に対する発電量（太陽光発電アレイ１ａ，１ｂの発電量）を制御する発電量制御部３５ａを具備するＰＶコンバータ３６ａ、２系統は、ＤＣ／ＤＣコンバータ１１ｃ’，１１ｄ’に対する発電量（太陽光発電アレイ１ｃ，１ｄの発電量）を制御する発電量制御部３５ｂを具備するＰＶコンバータ３６ｂにより構成されているものとする。また、１系統のバッテリーコントローラ１３ａは、図１８（ａ）（ｂ）に示すように、ＤＣ３８０Ｖライン１２ａに対して蓄電池１４ａの充電電力の充放電を行う充放電制御部３７ａ及び放電される電力を制御する電力制御部３８ａを具備しており、２系統のバッテリーコントローラ１３ｂは、ＤＣ３８０Ｖライン１２ｂに対して蓄電池１４ｂの充電電力の充放電を行う充放電制御部３７ｂ及び放電される電力を制御する電力制御部３８ｂを具備しているものとする。
【００７７】
まず、電力要求は電力の供給時間９時から１５時（６時間）において２００［ｋｗ］であるとする（図４供給電力量Ｋ３参照）。また、この２００［ｋｗ］の電力を、１系統において１５０［ｋｗ］（図４供給電力量Ｋ１、分割後の電力）、２系統において５０［ｋｗ］（図４供給電力量Ｋ２、分割後の電力）に配分し、１系統と２系統の合計で２００［ｋｗ］の電力要求を実現するものとする（図４供給電力Ｋ３）。そして、この電力配分を１日毎に１系統と２系統を入れ換える。即ち、２日目は１系統が５０[ｋｗ]を担当し、２系統が１５０[ｋｗ]を担当する。これらの条件は、予め、ＥＭＳ１９の入力部１９ｅ（図１０参照）からＥＭＳ１９内に入力され、データ記憶部１９ｄに記憶される（図１１Ｐ１，Ｐ２、図１４（ａ）参照）。
【００７８】
１系統の太陽光発電アレイ１ａ，１ｂの１日の発電電力は、図４のＭ１に示すように、正午附近を頂点とする山形となる。この発電電力が新規直流配線１０ａ，１０ｂを介してＰＶコンバータ１１ａ，１１ｂ（図１７（ａ）、ＰＶコンバータ３６ａ）に入力し、これらＰＶコンバータ１１ａ，１１ｂにてＤＣ３８０Ｖに変換され、ＤＣ３８０Ｖライン（直流給電ライン）１２ａに供給される。
【００７９】
このとき、新規直流配線１０ａ，１０ｂにおける発電電力（図１、図２のａ点の発電電力）、上記蓄電池１４ａの蓄電容量（ＢＭＵ２２ａで検知した蓄電池の残容量、図２のｂ点）、及び、系統連系インバータ１５ａの出力電力（図１、図２のｃ点の電力）は、各々スマートメータ１８ａにて検出され、該スマートメータ１８ａからＳＰＭ２１ａ（図８参照）に送信され、上記ＳＰＭ２１ａはこれらのデータを記憶部３２ｃに記憶すると共に、通信部３２ｄ及び無線送受信機３３より上記ＥＭＳ１９に一定時間毎に送信する。よって、上記ＥＭＳ１９は（図１０参照）、無線送受信機３１を介してこれらのデータを受け、データ記憶部１９ｄに記憶する（図１４（ｂ）１系統、図１１Ｐ３参照）。尚、ＥＭＳ１９は、これらの１系統のデータを必要に応じて表示部１９ｆ（図１０参照）にグラフ表示することができる。
【００８０】
２系統の太陽光発電アレイ１ｃ，１ｄの１日の発電電力は、図４のＭ２に示すように、同様に、正午附近を頂点とする山形となる。この発電電力が新規直流配線１０ｃ，１０ｄを介してＰＶコンバータ１１ｃ，１１ｄ（図１７（ｂ）、ＰＶコンバータ３６ｂ）に入力し、これらＰＶコンバータ１１ｃ，１１ｄにてＤＣ３８０Ｖに変換され、ＤＣ３８０Ｖライン（直流給電ライン）１２ｂに供給される。
【００８１】
このとき、新規直流配線１０ｃ，１０ｄにおける発電電力（図１、図２のａ’点の発電電力）、上記蓄電池１４ｂの蓄電容量（ＢＭＵ２２ｂで検知した蓄電池の残容量、図２のｂ’点）、及び、系統連系インバータ１５ｂの出力電力（図１、図２のｃ’点の電力）は、各々スマートメータ１８ｂで検出され、該スマートメータ１８ｂを通じてＳＰＭ２１ｂ（図９参照）に送信され、上記ＳＰＭ２１ｂはこれらのデータをデータ記憶部３３ｃに記憶すると共に、通信部３３ｄを介して無線送受信機３４により上記ＥＭＳ１９に一定時間毎に送信する。上記ＥＭＳ１９は（図１０）、無線送受信機３１を介してこれらのデータを受け、データ記憶部１９ｄに記憶する（図１４（ｂ）２系統、図１１Ｐ３参照）。尚、ＥＭＳ１９は、これら２系統のデータを必要に応じて表示部１９ｆ（図１０参照）にグラフ表示することができる。
【００８２】
このように上記ＥＭＳ１９は、ＳＰＭ２１ａ，２１ｂからの、一定時間毎又は常時の、各種送信データにより、１系統及び２系統の各太陽光発電アレイ１ａ〜１ｄの発電電力、各蓄電池１４ａ，１４ｂの残量、及び、各系統連携インバータ１５ａ，１５ｂの出力電力を常に把握している（図１１Ｐ３参照）。
【００８３】
（１系統の時刻ｔ１から時刻ｔ２、図１１、図１５参照）
上記ＥＭＳ１９（図１０、ＣＰＵ１９ａ）は、１系統のＳＰＭ２１ａからの蓄電池１４ａの残量データを把握すると共に（図１１Ｐ４、図１９データ受信手段３９ａ、電池残量検知手段３９ｇ参照）、上記送信データに基づいて、比較手段３９ｂ（図１９参照）が１系統において、ａ点の発電電力が（時刻ｔ１〜時刻ｔ２）、最大出力である１５０［ｋｗ］＝Ｓ２に達していないことを検知し（図１１Ｐ５ＮＯ参照）、電力レベル設定手段３９ｆ（図１９参照）が１系統において、時刻ｔ１〜時刻ｔ２について、発電量指令手段３９ｃ（図１９参照）がＳ１（目標値Ｓｎ、ｎ＝１）（＜１５０［ｋｗ］）の一定の電力を設定記憶し（図１１Ｐ６、図１４（ｃ）Ｓ１参照）、当該Ｓ１［ｋｗ］をＤＣ３８０Ｖライン１２ａから系統連系インバータ（ＤＣ／ＡＣインバータ）１５ａに出力するようにＳＰＭ２１ａに指示すると共に（図１１Ｐ７参照）、充放電指令手段３９ｄ（図１９参照）が（１５０［ｋｗ］（＝Ｓ２）−Ｓ１＝Ｓ１’）の部分の不足電力は、蓄電池１４ａから系統連携インバータ１５ａに出力（放電）するようにＳＰＭ２１ａに指示する（図１１Ｐ８、データ送信手段３９ｅ、図１９、図１４（ｃ）Ｓ１‘参照）。尚、ＥＭＳ１９（電力レベル設定手段３９ｆ、図１９参照）は、時刻ｔ１の発電電力（＜１５０［ｋｗ］）の目標値をＳ１と定め、発電量指令手段３９ｃは発電電力がＳ２(＝１５０［ｋｗ］)を超えるまでは、ＤＣ３８０Ｖライン１２ａから系統連系インバータ１５ａに一定電力Ｓ１を出力するようにＳＰＭ２１ａに指示する（図１１Ｐ７参照）。
【００８４】
上記ＥＭＳ１９（電池残量検知手段３９ｇ、図１９）は、上記ＳＰＭ２１ａを介して上記ＢＭＵ２２ａからの蓄電池１４ａの電池残量を認識しており、上記電池残量に基づいて上記出力電力Ｓ１は、（Ｓ２−Ｓ１＝Ｓ１’）の不足電力を蓄電池１４ａからの放電により補うことで、電力１５０［ｋｗ］を出力できる電力レベルに設定する（図１１Ｐ６、図１４（ｃ）Ｓ１＋Ｓ１’＝１５０［ｋｗ］参照）。
【００８５】
上記ＳＰＭ２１ａ（図８、ＣＰＵ３２ｂ）は、上記ＥＭＳ１９からの制御指令（指令データ）を無線送受信機３３（データ受信手段４０ａ、図２１参照）にて受信し（図１５Ｐ１参照）、判断手段４０ｄ（図２１）が充電指令なのか放電指令なのかを判断し（図１５Ｐ２参照）、ここでは放電指令なので（図１５Ｐ２、ＹＥＳ）、ステップＰ３，Ｐ４に移行し、充放電制御手段４０ｃ（図２１参照）が、バッテリーコントローラ１３ａ（図１８（ａ）参照）の電力制御部３８ａに（Ｓ２−Ｓ１＝Ｓ１’）に相当する不足電力の生成を指示すると共に、充放電制御部３７ａにＤＣ３８０Ｖライン１２ａに対して上記一定の電力（Ｓ２−Ｓ１＝Ｓ１’）の放電を指示する（時刻ｔ１〜ｔ２において）（図１５Ｐ４、図４矢印Ｌ４参照）。また、ＳＰＭ２１ａ（発電量制御手段４０ｂ、図２１参照）はＰＶコンバータ３６ａ（図１７（ａ）参照）の発電量制御部３５ａに対して、太陽光発電アレイ１ａ，１ｂにて発電された電力の内、一定値Ｓ１をＤＣ／ＤＣコンバータ１１ａ’，１１ｂ’を介してＤＣ３８０Ｖライン１２ａへの出力を指示し（図１５Ｐ３、図４矢印Ｌ１参照）、その結果、系統連系インバータ１５ａに対して、太陽光発電アレイ１ａ，１ｂにて発電された電力の内、一定値Ｓ１が出力され（図１５Ｐ３、図４矢印Ｌ２参照）、上記蓄電池１４ａからの上記放電電力と上記発電電力の合計が１５０［ｋｗ］の一定値（Ｓ２）（分割後の電力）となるように１系統を制御する（図１５Ｐ５、図４矢印Ｌ５参照）。
【００８６】
この状況は、太陽光発電アレイ１ａ，１ｂによる発電電力が１５０［ｋｗ］であるＳ２を超えるまで継続し、よって、時刻ｔ１〜時刻ｔ２は、太陽光発電アレイ１ａ，１ｂからの発電電力からなるＳ１の一定電力がＤＣ３８０Ｖライン１２ａから系統連系インバータ１５ａに供給されると共に（図４矢印Ｌ２参照）、蓄電池１４ａからの（Ｓ２−Ｓ１＝Ｓ１’）の放電による一定電力がＤＣ３８０Ｖライン１２ａから系統連系インバータ１５ａに供給され（図４矢印Ｌ４参照）、結果として、合計電力である１５０ｋｗ（Ｓ２）の一定の電力が、上記系統連系インバータ１５ａにより交流電力に変換され、３相４線２２０Ｖのラインを通じて新規配線１７を介して交流配線３に出力される。従って、時刻ｔ１〜ｔ２においては、１５０［ｋｗ］（分割後の電力）の一定の電力（目標値Ｓ２）が出力交流配線５に供給される。
【００８７】
（２系統における時刻ｔ１から時刻ｔ２、図１２、図１６参照）
２系統においても、上記ＥＭＳ１９（ＣＰＵ１９ａ、電池残量検知手段４２ｇ、図２０参照）は、２系統のＢＭＵ２２ｂの蓄電池残量を認識しており（図１２Ｐ１５参照）、その後、比較手段４２ｂが、上記送信データに基づいて、２系統において、ａ’点の発電電力は（時刻ｔ１〜時刻ｔ２）、２系統の担当電力である５０［ｋｗ］＝Ｓ５（目標値Ｓｍ、ｍ＝５）を超えていることを検知する（図１２Ｐ１６参照）。
【００８８】
よって、２系統ではＥＭＳ１９（電力レベル設定手段４２ｆ、図２０参照）は、この出力電力Ｓ５を５０［ｋｗ］（目標値）に設定すると共に（図１２Ｐ１７、図１４（ｃ）Ｓ５参照）、発電量指令手段４２ｃは、この時刻ｔ１〜ｔ２において、５０［ｋｗ］（Ｓ５）の一定電力（分割後の電力）を、ＤＣ３８０Ｖライン１２ｂから系統連系インバータ（ＤＣ／ＡＣインバータ）１５ｂに出力するようにＳＰＭ２１ｂに指示すると共に（図１２Ｐ１８参照）、充放電指令手段４２ｄ（図２０参照）は、Ｓ５（５０［ｋｗ］）を超えた発電電力については蓄電池１４ｂに充電するようにＳＰＭ２１ｂに指示する（図１２Ｐ１９参照）。
【００８９】
従って、上記ＳＰＭ２１ｂ（図９、ＣＰＵ３３ｂ）は、判断手段４３ｄ（図２２参照）が充電指令であることを判断し、上記ＥＭＳ１９からの制御指令（指令データ）を無線送受信機３４（データ受信手段４３ａ、図２２参照）にて受信し（図１６Ｐ１参照）、発電量制御手段４３ｂ（図２２参照）が、ＰＶコンバータ３６ｂ（図１７（ｂ）参照）の発電量制御部３５ｂに対して、太陽光発電アレイ１ｃ，１ｄにて発電された電力の内、一定値Ｓ５（５０［ｋｗ］）をＤＣ／ＤＣコンバータ１１ｃ’，１１ｄ’を介してＤＣ３８０Ｖライン１２ｂへの出力を指示し（図１６Ｐ２、図４矢印Ｌ１’参照）、その結果、系統連系インバータ１５ｂに対して、太陽光発電アレイ１ｃ，１ｄにて発電された電力の内、一定値Ｓ５（分割後の電力）が出力され（図１６Ｐ２、図４矢印Ｌ２’参照）、かつ、Ｓ５（５０［ｋｗ］）を超えた発電電力については、充放電制御手段４３ｃ（図２２参照）が、バッテリーコントローラ１３ｂ（図１８（ｂ）参照）の充放電制御部３７ｂに充電するように指示する（図１６Ｐ３、図４矢印Ｌ３’参照）。
【００９０】
これにより５０［ｋｗ］の一定電力（Ｓ５）が上記系統連系インバータ１５ｂにより交流電力に変換され（３相４線２２０Ｖ）、新規配線１７を介して出力交流配線５に出力される（図１６Ｐ４、図４矢印Ｌ５’参照）。従って、時刻ｔ１〜ｔ２においては、５０［ｋｗ］の一定の電力が出力交流配線５に供給されると共に、Ｓ２（５０［ｋｗ］）を超えた発電電力については、蓄電器１４ｂに充電が行われる（図４矢印Ｌ３’参照）。
【００９１】
このように、時刻ｔ１〜ｔ２においては、２系統では５０［ｋｗ］の電力が系統連系インバータ１５ｂを通じて新規配線１７に出力される。また、ＥＭＳ１９は、上記２系統において、５０［ｋｗ］を超える発電電力は、ＳＰＭ２１ｂを通じてバッテリーコントローラ１３ｂに、充電を行うように指令する。よって、２系統の時刻ｔ１〜ｔ２において、５０［ｋｗ］を超えた電力については、バッテリー（蓄電池）１４ｂに充電が行われる（図４矢印Ｌ３’参照）。
【００９２】
従って、上記時刻ｔ１〜ｔ２においては、新規配線１７には合計２００［ｋｗ］、即ち、１系統の系統連携インバータ１５ａの出力電力である１５０［ｋｗ］と、２系統の系統連携インバータ１５ｂの出力電力である５０［ｋｗ］の合計の２００［ｋｗ］の一定の電力（図４供給電力量Ｋ３）が安定して出力交流配線５を介して外部マイクログリッド電源６に供給されることになる。
【００９３】
（１系統の時刻ｔ２から時刻ｔ３、図１１、図１５参照）
ＥＭＳ１９（図１０、ＣＰＵ１９ａ、電池残量検知手段３９ｇ、図１９参照）は、図１１のステップＰ１０を経て、ステップＰ４に戻り、現時点での蓄電池残量をＢＭＵ２２ａにて確認する（図１１Ｐ４参照）。上記ＥＭＳ１９（比較手段３９ｂ、図１９参照）は、１系統において太陽光発電アレイ１ａ，１ｂの発電電力（ａ点の電力）が、時刻ｔ２を超えると、ＳＰＭ２１ａからの送信データに基づいて、目標値Ｓ２（＝１５０［ｋｗ］）を超えたことを検知し（図１１Ｐ５ＹＥＳ参照）、１系統において、時刻ｔ２からｔ３においては、上記発電電力が１５０［ｋｗ］を超えるので（図１１Ｐ５参照）、ＥＭＳ１９（電力レベル設定手段３９ｆ、図１９参照）は、上記発電電力が１５０［ｋｗ］以下になるまでは（時刻ｔ３までは）、１５０［ｋｗ］の一定電力Ｓ２（目標値Ｓｐ、ｐ＝２）を設定記憶し（図１１Ｐ１１、図１４（ｃ）Ｓ２参照）、発電量指令手段３９ｃは、上記一定電力Ｓ２（＝１５０［ｋｗ］）をＤＣ３８０Ｖライン１２ａから系統連携インバータ（ＤＣ／ＡＣインバータ）１５ａに出力するようにＳＰＭ２１ａに指示する（図１１Ｐ１２参照）。同時にＥＭＳ１９（充放電指令手段３９ｄ）は、時刻ｔ２以降、太陽光発電アレイ１ａ，１ｂの発電電力がＳ２以下になるまでは（時刻ｔ３までは）、Ｓ２（１５０［ｋｗ］）を超えた発電電力については、蓄電池１４ａに充電を行うようにＳＰＭ２１ａに指示を行い（図１１Ｐ１３参照）、ＳＰＭ２１ａに対して合計１５０［ｋｗ］の電力の出力指令を送信する（図１１Ｐ１４参照）。
【００９４】
上記ＳＰＭ２１ａ（図８、ＣＰＵ３２ｂ、データ受信手段４０ａ、図２１参照）は、時刻ｔ２を過ぎると、上記ＥＭＳ１９からの制御指令を無線送受信機３３にて受信し（図１５Ｐ１参照）、判断手段４０ｄ（図２１参照）が、充電指令なのか放電指令なのかを判断し（図１５Ｐ２参照）、ここでは充電指令なので、ステップＰ７に移行する。即ち、ＳＰＭ２１ａ（発電量制御手段４０ｂ、図２１参照）はＰＶコンバータ３６ａ（図１７（ａ）参照）の発電量制御部３５ａに対して、太陽光発電アレイ１ａ，１ｂにて発電された電力の内、一定値Ｓ２（１５０［ｋｗ］）をＤＣ／ＤＣコンバータ１１ａ’，１１ｂ’を介してＤＣ３８０Ｖライン１２ａへの出力を指示し（図１５Ｐ７、図４矢印Ｌ１参照）、その結果、系統連系インバータ１５ａに対して、太陽光発電アレイ１ａ，１ｂにて発電された電力の内、一定値Ｓ２（１５０［ｋｗ］）が出力される（図１５Ｐ５、図４矢印Ｌ２参照）。よって、上記系統連系インバータ１５ａから、発電電力中の一定電力（Ｓ２＝１５０［ｋｗ］）が新規配線１７に出力される（図１５Ｐ５、図４矢印Ｌ５参照）。また上記ＳＰＭ２１ａ（充放電制御手段４０ｃ、図２１参照）は、Ｓ２（１５０［ｋｗ］）を超えた発電電力については、バッテリーコントローラ１３ａ（図１８（ａ）参照）の充放電制御部３７ａを制御して、蓄電池１４ａに充電を行う（図１５Ｐ８、図４矢印Ｌ３参照）。
【００９５】
従って、１系統において、時刻ｔ２〜ｔ３においては１５０［ｋｗ］の一定の電力（分割後の電力）が系統連系インバータ１５ａを通じて新規配線１７に出力される（図１５Ｐ５、図４矢印Ｌ５参照）。また、ＥＭＳ１９は時刻ｔ２〜ｔ３において、１５０［ｋｗ］を超えた発電電力については、ＳＰＭ２１ａを介してバッテリーコントローラ１３ａに対して充電を指示する（図４矢印Ｌ３参照）。よって、時刻ｔ２〜ｔ３において１５０［ｋｗ］を超えた電力については蓄電池１４ａに充電される。
【００９６】
（２系統における時刻ｔ２〜時刻ｔ３、図１２、図１６参照）
一方、２系統ではＥＭＳ１９（電池残量検知手段４２ｇ、図２０）は、引き続いてＢＭＵ２２ｂからの蓄電池残量を確認すると共に（図１２Ｐ１５参照）、比較手段４２ｂが、この時刻ｔ２〜ｔ３において、依然として、２系統の太陽光発電アレイ１ｃ，１ｄの発電電力は５０［ｋｗ］（＝Ｓ５）を超えていることを認識し（図１２Ｐ１６、図４Ｓ５参照）、発電量指令手段４２ｃは、５０［ｋｗ］の一定電力を、ＤＣ３８０Ｖライン１２ｂから系統連系インバータ（ＤＣ／ＡＣインバータ）１５ｂに出力するようにＳＰＭ２１ｂに指示している（図１２Ｐ１８参照）。よって、時刻ｔ２〜ｔ３においては、ＳＰＭ２１ｂ（発電量制御手段４３ｂ、図２２参照）のＰＶコンバータ３６ｂ（図１７（ｂ）参照）の制御により、２系統では５０［ｋｗ］の一定電力が系統連系インバータ１５ｂを通じて新規配線１７に出力される（図１６Ｐ２，Ｐ４、図４矢印Ｌ１’，Ｌ２’，Ｌ５’参照）。また、ＥＭＳ１９（充放電指令手段４２ｄ、図２０参照）は、上記２系統において、５０［ｋｗ］を超える発電電力は、ＳＰＭ２１ｂを通じてバッテリーコントローラ１３ｂに、充電を行うように指令する（図１２Ｐ１９参照）。よって、ＳＰＭ２１ｂ（充放電制御手段４３ｃ、図２２参照）は、バッテリーコントローラ１３ｂ（図１８（ｂ）参照）の充放電制御部３７ｂに、Ｓ５(＝５０［ｋｗ］)を超えた発電電力については充電するように指令する（図１６Ｐ３参照）。従って、２系統の時刻ｔ２〜ｔ３において５０［ｋｗ］を超えた大きな電力については、蓄電池１４ｂに充電が行われる（図４矢印Ｌ３’参照）。このように、２系統では蓄電池１４ｂの充電量が非常に大きくなる（図４の蓄電池１４ｂ参照）。
【００９７】
従って、上記時刻ｔ２〜ｔ３においては、新規配線１７には引き続いて、１系統の系統連携インバータ１５ａの出力電力１５０［ｋｗ］（図４供給電力量Ｋ１参照）と、２系統の系統連携インバータ１５ｂの出力電力５０［ｋｗ］（図４供給電力量Ｋ２参照）の合計２００［ｋｗ］の一定の電力が安定して供給されることになる（図４供給電力量Ｋ３参照）。
【００９８】
（１系統の時刻ｔ３〜時刻ｔ４、図１１、図１５参照）
以下、同様であるが、ＥＭＳ１９（図１０、ＣＰＵ１９ａ、電池残量検知手段３９ｇ、図１９）は、図１１のステップＰ４にてＢＭＵ２１ａからの送信データに基づいて、上記蓄電池１４ａの残量を認識すると共に、比較手段３９ｂが、上記ＳＰＭ２１ａからの送信データに基づいて、時刻ｔ３においては太陽光発電アレイ１ａ，１ｂの発電電力がＳ２(＝１５０［ｋｗ］)以下になったことを検知し（図１１Ｐ５ＮＯ参照）、電力レベル設定手段３９ｆ（図１９）が、１５０［ｋｗ］より低い一定電力Ｓ３（目標値Ｓｎ、n＝３）を設定記憶し（図１１Ｐ６、図１４（ｃ）Ｓ３参照）、発電量指令手段３９ｃが、この電力Ｓ３を系統連系インバータ１５ａに出力するようにＳＰＭ２１ａに指示すると共に（図１１Ｐ７参照）、充放電指令手段３９ｄが、（Ｓ２−Ｓ３＝Ｓ３’）の不足電力は蓄電池１４ａから放電して補うようにＳＰＭ２１ａに指示し（図１１Ｐ８参照）、蓄電池１４ａからの放電電力と太陽光発電アレイ１ａ，１ｂの発電電力の合計が１５０[ｋｗ]（Ｓ２）の一定電力となるようにＳＰＭ２１ａに指示する（図１１Ｐ９参照）。
【００９９】
このときＥＭＳ１９（電池残量検知手段３９ｇ、図１９参照）は、上記送信データからＢＭＵ２２ａの電池残量を検知しているので（図１１Ｐ４参照）、電力レベル設定手段３９ｆは、（Ｓ２−Ｓ３＝Ｓ３’）の不足電力を上記蓄電池１４ａの電池残量で賄えるか否か判断し、（Ｓ２−Ｓ３）の電力を電池残量の放電で賄える範囲内において、即ち発電電力Ｓ３と蓄電池１４ａの放電による合計電力が１５０［ｋｗ］を維持できるように、上記一定電力Ｓ３（目標値）のレベルを決定し（図１１Ｐ６、図１４（ｃ）Ｓ３＋Ｓ３‘＝１５０［ｋｗ］参照）、上記ＳＰＭ２１ａに通知する。
【０１００】
上記ＳＰＭ１９（図８、ＣＰＵ３２ｂ）は、上記ＥＭＳ１９からの制御指令を無線送受信機３３にて受信し（図１５Ｐ１参照）、判断手段４０ｄ（図２１参照）が、充電指令なのか放電指令なのかを判断し（図１５Ｐ２参照）、ここでは放電指令なので（図１５Ｐ２ＹＥＳ）、充放電制御手段４０ｃが、時刻ｔ３〜ｔ４については、ステップＰ３，Ｐ４に移行し、バッテリーコントローラ１３ａ（図１８（ａ）参照）の電力制御部３８ａに（Ｓ２−Ｓ３＝Ｓ３’）に相当する不足電力の生成を指示すると共に、充放電制御部３７ａにＤＣ３８０Ｖライン１２ａに対して上記電力（Ｓ２−Ｓ３）の放電を指示する（時刻ｔ３〜ｔ４において）（図１５Ｐ４、図４矢印Ｌ３，Ｌ４参照）。また、ＳＰＭ２１ａ（発電量制御手段４０ｂ）はＰＶコンバータ３６ａ（図１７（ａ）参照）の発電量制御部３５ａに対して、太陽光発電アレイ１ａ，１ｂにて発電された電力の内、一定値Ｓ３をＤＣ／ＤＣコンバータ１１ａ’，１１ｂ’を介してＤＣ３８０Ｖライン１２ａへの出力を指示し（図１５Ｐ３、図４矢印Ｌ１参照）、その結果、系統連系インバータ１５ａに対して、太陽光発電アレイ１ａ，１ｂにて発電された電力の内、一定値Ｓ３が出力され（図１５Ｐ３、図４矢印Ｌ２参照）、上記蓄電池１４ａからの上記放電電力（図４矢印Ｌ４参照）と上記発電電力（図４矢印Ｌ２参照）の合計が１５０［ｋｗ］の一定値（Ｓ２）となるように１系統を制御する（図１５Ｐ５、図４矢印Ｌ５参照）。
【０１０１】
よって、時刻ｔ３〜時刻ｔ４は、太陽光発電アレイ１ａ，１ｂからの発電電力からなるＳ３の電力と、蓄電池１４ａからの（Ｓ２−Ｓ３＝Ｓ３’）の合計電力である１５０［ｋｗ］（Ｓ２）の一定の電力（図４矢印Ｌ５参照）が系統連系インバータ１５ａを通じて新規配線１７に出力される（図１５Ｐ５、図４供給電力量Ｋ１参照）。
【０１０２】
（２系統の時刻ｔ３〜時刻ｔ４、図１２、図１６参照）
一方、２系統では、ＥＭＳ１９（発電量指令手段４２ｃ、図２０）は、同様に図１２のプログラムＰ１５〜Ｐ１７を経て、この時刻ｔ３〜ｔ４において、５０［ｋｗ］（Ｓ５）の電力を、ＤＣ３８０Ｖライン１２ｂから系統連系インバータ（ＤＣ／ＡＣインバータ）１５ｂに出力するようにＳＰＭ２１ｂに指示する（図１２Ｐ１８参照）。よって、時刻ｔ３〜ｔ４においては、２系統ではＳＰＭ２１ｂ（図９、ＣＰＵ３３ｂ）のＰＶコンバータ３６ｂ（図１７（ｂ）参照）の制御により、Ｓ５＝５０［ｋｗ］が、系統連系インバータ１５ｂを通じて新規配線１７に出力される（図１６Ｐ２，Ｐ４、図４矢印Ｌ２’，Ｌ５’、供給電力量Ｋ２参照）。また、ＥＭＳ１９（充放電指令手段４２ｄ）は、上記２系統において、５０［ｋｗ］を超える発電電力は、ＳＰＭ２１ｂを通じてバッテリーコントローラ１３ｂに、充電を行うように指令する（図１２Ｐ１９参照）。よって、ＳＰＭ２１ｂ（図９、ＣＰＵ３３ｂ、充放電制御手段４３ｃ、図２２参照）のバッテリーコントローラ１３ｂ（図１８（ｂ）参照）の充放電制御部３７ｂの制御により、２系統の時刻ｔ３〜ｔ４において５０［ｋｗ］を超えた電力については、バッテリーに充電が行われる（図１６Ｐ３、図４矢印Ｌ３’参照）。
【０１０３】
従って、上記時刻ｔ３〜ｔ４においては、新規配線１７には合計２００［ｋｗ］、即ち、１系統の系統連系インバータ１５ａの出力電力である１５０［ｋｗ］（図４供給電力量Ｋ１参照）と、２系統の系統連系インバータ１５ｂの出力電力である５０［ｋｗ］（図４供給電力量Ｋ２参照）の合計の２００［ｋｗ］の一定の電力が安定して出力交流配線５を介して外部マイクログリッド６に供給されることになる（図４供給電力Ｋ３参照）。
【０１０４】
（１系統の時刻ｔ４〜時刻ｔ５、図１１、図１５参照）
さらに時刻ｔ４〜ｔ５については、時刻ｔ３〜ｔ４の動作と同様である。即ち、ＥＭＳ１９（図１０、ＣＰＵ１９ａ、電池残量検知手段３９ｇ、図１９）は、ＳＰＭ２１ａからのデータに基づいて蓄電池１４ａの残量を確認し（図１１Ｐ４参照）、該ＥＭＳ１９（比較手段３９ｂ）は上記ＳＰＭ２１ａからの送信データに基づいて、時刻ｔ４においては太陽光発電アレイ１ａ，１ｂの発電電力が目標値Ｓ２(＝１５０［ｋｗ］)以下であることを検知すると共に、上記一定電力Ｓ３以下になったことをも検知し（図１１Ｐ５ＮＯ、図１４（ｃ）Ｓ４参照）、電力レベル設定手段３９ｆは、１５０［ｋｗ］より低く、上記Ｓ３よりもさらに低い一定電力Ｓ４（目標値Ｓｎ、ｎ＝４）を決定し（図１１Ｐ６参照）、発電量指令手段３９ｃは、その電力Ｓ４を系統連系インバータ１５ａに出力するようにＳＰＭ２１ａに指示すると共に（図１１Ｐ７参照）、充放電指令手段３９ｄが、（Ｓ２−Ｓ４）の電力は蓄電池１４ａから放電により補うようにＳＰＭ２１ａに指示し（図１１Ｐ８参照）、蓄電池１４ａからの放電電力と太陽光発電アレイ１ａ，１ｂの発電電力の合計が１５０［ｋｗ］（Ｓ２）となるようにＳＰＭ２１ａに指示する（図１１Ｐ９参照）。
【０１０５】
このとき上記ＥＭＳ１９（電池残量検知手段３９ｇ、図１９）は、上記送信データからＢＭＵ２２ａの電池残量を検知し、（Ｓ２−Ｓ４＝Ｓ４’）の電力を上記蓄電池１４ａの電池残量で賄えるか否か判断し、（Ｓ２−Ｓ４＝Ｓ４’）の電力を電池残量の放電で賄える範囲内において、上記一定電力Ｓ４（＜Ｓ３）を決定し、上記ＳＰＭ２１ａに通知する（図１１Ｐ６、図１４（ｃ）Ｓ４＋Ｓ４’＝１５０［ｋｗ］参照）。
【０１０６】
上記ＳＰＭ２１ａ（データ受信手段４０ａ、図２１参照）は、上記ＥＭＳ１９からの制御指令を無線送受信機３３にて受信し（図１５Ｐ１参照）、判断手段４０ｄが、充電指令なのか放電指令なのかを判断し（図１５Ｐ２参照）、ここでは放電指令なので（図１５Ｐ２ＹＥＳ参照）、充放電制御手段４０ｃは、時刻ｔ４〜ｔ５については、ステップＰ３，Ｐ４に移行し、バッテリーコントローラ１３ａ（図１８（ａ）参照）の電力制御部３８ａに（Ｓ２−Ｓ４＝Ｓ４’）に相当する不足電力の生成を指示すると共に、充放電制御部３７ａにＤＣ３８０Ｖライン１２ａに対して上記電力（Ｓ２−Ｓ４）の放電を指示する（時刻ｔ４〜ｔ５において）（図１５Ｐ４、図４矢印Ｌ４参照）。また、ＳＰＭ２１ａ（発電量制御手段４０ｂ）は、ＰＶコンバータ３６ａ（図１７（ａ）参照）の発電量制御部３５ａに対して、太陽光発電アレイ１ａ，１ｂにて発電された電力の内、一定値Ｓ４をＤＣ／ＤＣコンバータ１１ａ’，１１ｂ’を介してＤＣ３８０Ｖライン１２ａへの出力を指示し（図１５Ｐ３、図４矢印Ｌ１参照）、その結果、系統連系インバータ１５ａに対して、太陽光発電アレイ１ａ，１ｂにて発電された電力の内、一定値Ｓ４が出力され（図１５Ｐ３、図４矢印Ｌ２参照）、上記蓄電池１４ａからの上記放電電力（図４矢印Ｌ４参照）と上記発電電力（図４矢印Ｌ２参照）の合計が１５０［ｋｗ］の一定値（Ｓ２）となるように１系統を制御する（図１５Ｐ５、図４矢印Ｌ５参照）。
【０１０７】
よって、時刻ｔ４〜時刻ｔ５は、太陽光発電アレイ１ａ，１ｂからの発電電力からなるＳ４の電力と、蓄電池１４ａからの（Ｓ２−Ｓ４＝Ｓ４’）の合計電力である１５０［ｋｗ］（Ｓ２）の一定の電力が系統連携インバータ１５ａを通じて新規配線１７に出力される（図１５Ｐ５、図４矢印Ｌ５、供給電力量Ｋ１参照）。
【０１０８】
（２系統の時刻ｔ４〜時刻ｔ５、図１２、図１６参照）
一方、２系統では、ＥＭＳ１９（発電量指令手段４２ｃ、図２０）は、同様にステップＰ１５（図１２参照）からステップＰ１７に至り、この時刻ｔ４〜ｔ５においても、発電電力はＳ５(＝５０［ｋｗ］)を上回っているので（図１２Ｐ１６参照）、引き続いて、５０［ｋｗ］の電力を、ＤＣ３８０Ｖライン１２ｂから系統連携インバータ（ＤＣ／ＡＣインバータ）１５ｂに出力するようにＳＰＭ２１ｂに指示する（図１２Ｐ１８参照）。よって、時刻ｔ４〜ｔ５においては、２系統では５０［ｋｗ］の電力が系統連系インバータ１５ｂを通じて新規配線１７に出力される（図４矢印Ｌ２’，Ｌ５’参照）。また、ＥＭＳ１９（充放電制御手段４２ｄ）は、上記２系統において、５０［ｋｗ］を超える発電電力は、ＳＰＭ２１ｂを通じてバッテリーコントローラ１３ｂに、充電を行うように指令する（図１２Ｐ１９参照）。よって、２系統の時刻ｔ４〜ｔ５において５０［ｋｗ］を超えた電力については、バッテリーに充電が行われる（図４矢印Ｌ３’参照）。
【０１０９】
従って、時刻ｔ４〜ｔ５においては、２系統ではＳＰＭ２１ｂ（図９、ＣＰＵ３３ｂ、発電量制御手段４３ｂ、図２２参照）のＰＶコンバータ３６ｂ（図１７（ｂ）参照）の制御により、５０［ｋｗ］の電力が系統連携インバータ１５ｂを通じて新規配線１７に出力される（図１６Ｐ２，Ｐ４、図４矢印Ｌ５’参照）。また、２系統においてＳＰＭ２１ｂ（図９、ＣＰＵ３３ｂ、充放電制御手段４３ｃ、図２２参照）のバッテリーコントローラ１３ｂ（図１８（ｂ）参照）の制御により、２系統の時刻ｔ４〜ｔ５において５０［ｋｗ］を超えた電力については、蓄電池１４ｂに充電が行われる（図１６Ｐ３、図４矢印Ｌ３’参照）。これにより系統連系インバータ１５ｂからは５０［ｋｗ］の電力が出力される（図１６Ｐ４、図４矢印Ｌ５’参照）。
【０１１０】
従って、上記時刻ｔ４〜ｔ５においては、新規配線１７には合計２００［ｋｗ］、即ち、１系統の系統連携インバータ１５ａの出力電力である１５０［ｋｗ］（図４供給力量Ｋ１）と、２系統の系統連携インバータ１５ｂの出力電力である５０［ｋｗ］（図４供給電力量Ｋ２）の合計の２００［ｋｗ］の一定の電力が安定して出力交流配線５を介して外部マイクログリッド電源６に供給されることになる（図４供給電力量Ｋ３参照）。
【０１１１】
以上の動作により、時刻ｔ１〜時刻ｔ５の期間（要求された供給時間である９時から１５時の期間）は、１系統の１５０［ｋｗ］（図４供給電力量Ｋ１）と２系統の５０［ｋｗ］（図４供給電力量Ｋ２）の合計２００［ｋｗ］（図４供給電力量Ｋ３）の一定の安定した電力が新規配線７に供給されることになる。上記新規配線７に供給された電力は、既存の交流配線３及び配電用変圧器４により昇圧され、交流配線５を介してマイクログリッド電源６に供給される。
【０１１２】
また、時刻ｔ１以前の発電電力、時刻ｔ５以後の発電電力については、上記ＥＭＳ１９は、上記切換スイッチ９ａ〜９ｄを既設の設備側に切り換えて既設の設備（ＰＣＳ２ａ〜２ｄ側）にて既設の蓄電池７に充電が行われる。或いは、時刻ｔ１以前の発電電力、時刻ｔ５以後の発電電力については、ＥＭＳ１９は、上記既設の設備に切り換えることなく、１系統、２系統共にＳＰＭ２１ａ，２１ｂを介してバッテリーコントローラ１３ａ，１３ｂに蓄電地１４ａ，１４ｂに充電するように指示し、その結果、時刻ｔ１以前、時刻ｔ５以降の発電電力については蓄電池１４ａ，１４ｂに充電が行われるように構成しても良い。
【０１１３】
そして、ＥＭＳ１９は（図１０、ＣＰＵ１９ａ）は、１系統と２系統は１日毎に入れ換えを行う（図１３Ｐ１〜Ｐ３参照）。即ち、１系統を担当した電力設備は、次の日は２系統のアルゴリズム（図１２、図１６参照）（分割後の電力５０［ｋｗ］）を担当し、２系統を担当した電力設備は、次の日は１系統のアルゴリズム（図１１、図１５参照）（分割後の電力１５０［ｋｗ］）を担当するように制御する（図１３Ｐ２参照）。
【０１１４】
このように、１系統の電力設備では例えば最大出力（１５０［ｋｗ］）に設定し、２系統の電力設備では残余の電力（この場合５０［ｋｗ］）を出力するように構成することにより、２系統を担当する電力設備には蓄電池に多量の充電が行われるため、次回はこの多量の充電が行われた電力設備が担当電力が大きい１系統を担当することになるので、仮に、当該日の天候が悪くて発電量が要求された供給電力量に達しない場合等においても、１系統の蓄電池を放電することで、供給電力を補うことができ、極めて効率的に安定した電力を供給することができる。
【０１１５】
また、２系統の蓄電池は主に充電が行われ、１系統の蓄電池は主に放電が行われるため、単一の系統の蓄電池は、ある日は充電、次の日は放電のように充電又は放電のサイクルが１日置きに訪れるので、蓄電池の寿命を非常に長く保つことができる。
【０１１６】
また系統連系インバータ１５ａ，１５ｂは、１系統、２系統共に、容量（定格出力）が５０［ｋｗ］のものを３個（合計１５０［ｋｗ］）使用しているので、１系統の場合は最大出力（１５０［ｋｗ］）で運転することになり、２系統の場合も、単一の系統連系インバータの最大出力（５０［ｋｗ］）で運転することになり、何れの系統においても変換効率が高い、という利点がある。
【０１１７】
（第２の実施形態）
次に、本発明に係る電力供給設備の第２の実施形態を図６、図７により説明する。
図６に示すように、本発明に係る電力供給設備が接続された外部マイクログリッドの交流配線５に電気自動車用の複数の充電装置２４を接続する。また、各充電装置２４にはスマートメータ２５スイッチ２５ａを介して各々接続されている。
【０１１８】
上記ＥＭＳ１９（２系統の電池残量検知手段４２ｇ、図２０参照）は、２系統（最大出力ではない方、上記第１実施形態では５０［ｋｗ］を担当した系統）のＢＭＵ２２ｂを監視し、常時、２系統のバッテリー容量をチェックしている。通常、２系統は蓄電池残量に余裕があるので、ＥＭＳ１９は、ＳＭＣ２３を介して上記スマートメータ２５に充電可能の信号を送出している。
【０１１９】
この状態で、電気自動車２６が充電装置２４に接続されると、電気自動車２６が接続されたことがスマートメータ２５からＳＭＣ２３を介してＥＭＳ１９に無線伝達され、ＥＭＳ１９からＳＭＣ２３に電力送電指令がなされ、ＳＭＣ２３からスマートメータ２５に充電開始指令が送られる。上記スマートメータ２５はスイッチ２５ａをオンして交流配線５からの電力を電気自動車２６に供給し充電が行われる。
【０１２０】
このとき、ＥＭＳ１９はＳＰＭ２１ｂに対して電力増量指令を発し、これに基づいて、２系統の供給電力が増加電力Ｃ１，Ｃ２（図７参照）で示すように、電気自動車の充電期間中のみ増加される。具体的には、ＳＰＭ２１ｂは、バッテリーコントローラ１３ｂ（図１８（ｂ）参照）の充放電制御部３７ｂに対して放電指令を送信し、これにより蓄電池１４ｂから系統連系インバータ１５ｂに放電され（図７矢印Ｌ４’参照）、上記系統連系インバータ１５ｂを介して交流電力が交流配線５に供給される（図７矢印Ｌ５’、供給電力量Ｃ１，Ｃ２参照）。尚、Ｃ１は図６の電気自動車２６の１台分であり、図６に電気自動車が２台あるので、図７の増加電力はＣ１，Ｃ２としている。
【０１２１】
充電が終了した場合は、スマートメータ２５からＳＭＣ２３を介してＥＭＳ１９に終了した旨が伝達されるので、ＥＭＳ１９はＳＰＭ２１ｂに出力の増加の停止指令を指令する。その結果、上記増加電力Ｃ１，Ｃ２が消勢する。
【０１２２】
このように、外部マイクログリッドの配線に電気自動車の充電設備を設けた場合、２系統、即ち、蓄電池が略満充電に近い方のシステムにおいて、電気自動車の充電期間中に供給電力を増加することにより、ＥＶ充電システムに確実に電力を供給することができるという効果を奏するものである。勿論、増加電力Ｃ１，Ｃ２を担当する系統は、１日毎に入れ換わることになる。例えば、充電装置２４を接続したＥＶ充電用交流配線と、系統連系インバータ１５ａ，１５ｂとの間に切換スイッチを設け、ＥＶ充電用交流配線を、担当電力が低い方（上記第１の実施形態では２系統）に接続し、１日毎に上記切換スイッチを切り換えるように構成することができる。
【０１２３】
本発明は以上のように、要求される供給電力を１系統と２系統の電力設備に振り分けて担当させることができ、仮に、他方の系統は供給電力の目標値を高く蓄電量を少なく設定し、一方の系統は供給電力の目標値を低く蓄電量を多く設定し、このような振り分けを１日毎に入れ換えて行うことにより、常時、蓄電量の多い系統の電力供給設備側を、次回は、供給電力の目標値の高い方に設定することができるので、仮に天候不良、天候の急変等により、供給電力の目標値の高い電力供給設備にて蓄電装置からの多くの放電が必要になった場合であっても、支障なく対応が可能となる。
【０１２４】
また、入れ換え動作を行うことにより、常時、蓄電量の多い系統の電力供給設備側を、翌日は、供給電力の目標値の高い方に設定することができるので、仮に天候不良等により、供給電力の目標値の高い電力供給設備にて蓄電装置からの多くの放電が必要になった場合であっても、支障なく対応が可能となる。
【０１２５】
また、高い電力を担当する系統において、その分割後の電力を、当該系統の系統連系インバータの最大出力とすることにより、効率よく電力を変換することができる。
【０１２６】
また、電力供給設備と監視制御装置とを無線にて接続することにより、本発明に係る電力供給設備とは離れた場所に監視制御装置を設置することができ、遠隔地から電力供給設備の動作制御、及び、監視制御を行うことができる。よって、例えば、離島等に既に設けられているマイクログリッドによる分散電源に、本発明の電力供給設備を比較的容易に設置することが可能となる。
【０１２７】
また、放電の多い１系統と蓄電量の多い２系統の蓄電池１４ａ，１４ｂを交互に使用するので、蓄電池の寿命を長く保つことができる。
【０１２８】
また、電気自動車の充電に、目標値の低い方の系統の電力供給設備を使用するので、蓄電池の容量は豊富に存在し、蓄電池に貯蔵された電力を電気自動車の充電に有効に活用することができる。
【産業上の利用可能性】
【０１２９】
本発明に係る再生可能エネルギーを用いた電力供給設備によると、既設の分散電源に比較的容易に設置することができるため、例えば離島等のマイクログリッドの電力の安定化に貢献することが可能となる。
【符号の説明】
【０１３０】
１ａ〜１ｄ        太陽光発電アレイ
５                既設の交流配線
１１ａ〜１１ｄ    ＰＶコンバータ
１３ａ，１３ｂ    バッテリーコントローラ
１４ａ，１４ｂ    蓄電池
１５ａ，１５ｂ    系統連系インバータ
１９              ＥＭＳ（監視制御装置）
１８ａ，１８ｂ    スマートメータ
２１ａ，２１ｂ    ＳＰＭ（スマートパワーマネージャ）
２４              充電装置
２５              スマートメータ
２６              電気自動車
３６ａ，３６ｂ    ＰＶコンバータ
３９ａ，４２ａ    データ受信手段
３９ｂ，４２ｂ    比較手段
３９ｃ，４２ｃ    発電量指令手段
３９ｄ，４２ｄ    充放電指令手段
３９ｅ，４２ｅ    データ送信手段
３９ｆ，４２ｆ    電力レベル設定手段
４０ｂ，４３ｂ    発電量制御手段
４０ｃ，４３ｃ    充放電制御手段
４０ｄ，４３ｄ    判断手段
４０ｅ，４３ｅ    データ送信手段
Ｓ１〜Ｓ４        １系統の複数の目標値
Ｓ２              １系統の最大の目標値
Ｓ５              ２系統の目標値
【図１】
2020072637.tif 000003
【図２】
2020072637.tif 000004
【図３】
2020072637.tif 000005
【図４】
2020072637.tif 000006
【図５】
2020072637.tif 000007
【図６】
2020072637.tif 000008
【図７】
2020072637.tif 000009
【図８】
2020072637.tif 000010
【図９】
2020072637.tif 000011
【図１０】
2020072637.tif 000012
【図１１】
2020072637.tif 000013
【図１２】
2020072637.tif 000014
【図１３】
2020072637.tif 000015
【図１４】
2020072637.tif 000016
【図１５】
2020072637.tif 000017
【図１６】
2020072637.tif 000018
【図１７】
2020072637.tif 000019
【図１８】
2020072637.tif 000020
【図１９】
2020072637.tif 000021
【図２０】
2020072637.tif 000022
【図２１】
2020072637.tif 000023
【図２２】
2020072637.tif 000024